(57)【要約】【課題】  防犯性を維持しつつ操作性を容易に向上させることが可能な施錠装置及び該施錠装置を備える開口部装置を提供する。【解決手段】  室外側からそれぞれ独立して施解錠可能な一対の施錠ユニット４０、８０と、これら施錠ユニット４０、８０の施解錠に関する連動手段９０とを具備し、当該連動手段９０は室内側からの操作のみにより作動されることを特徴とする、施錠装置１００とする。【選択図】      図１
2006188896.tif 000002
【特許請求の範囲】
【請求項１】
室外側からそれぞれ独立して施解錠可能な一対の施錠ユニットと、これら施錠ユニットの施解錠に関する連動手段とを具備し、該連動手段は室内側からの操作のみにより作動されることを特徴とする、施錠装置。
【請求項２】
前記一対の施錠ユニットはそれぞれに、回転子と駆動子とを備え、室外側からの操作によっては、前記それぞれの駆動子は連動せず、室内側からの操作に対してのみ前記一の回転子が前記一の駆動子を駆動可能であり、かかる一の回転子の駆動が前記連動手段に伝えられることを特徴とする、請求項１に記載の施錠装置。
【請求項３】
前記一対の施錠ユニットは、第１の施錠ユニット及び第２の施錠ユニットからなり、
前記第１の施錠ユニットは、第１のシリンダー錠と、該第１のシリンダー錠の操作に応じて回転動作する第１駆動子及び該第１駆動子の回転動作に応じて駆動される第１デッドボルトを備える第１の錠箱と、前記第１駆動子と共に回転動作可能な第１回転子及び該第１回転子と接続された室内操作手段を備える第１の室内錠とを、室外側から順に備え、前記第１の錠箱及び第１の室内錠は、前記第１駆動子及び第１回転子を備える第１伝達制御手段を介して連動可能であり、
前記第２の施錠ユニットは、第２のシリンダー錠と、該第２のシリンダー錠の操作に応じて回転動作する第２駆動子及び該第２駆動子の回転動作に応じて駆動される第２デッドボルトを備える第２の錠箱と、前記第２駆動子と共に回転動作可能な第２回転子を備える第２の室内錠とを、室外側から順に備え、前記第２の錠箱及び第２の室内錠は、前記第２駆動子及び第２回転子を備える第２伝達制御手段を介して連動可能であるとともに、前記第２回転子は、連動手段を介して前記第１回転子と連結されている、施錠装置であって、
前記室内操作手段を操作すると、前記第１回転子が回転動作するとともに、前記連動手段を介して該第１回転子と連結された前記第２回転子が連動して回転動作し、
前記第１伝達制御手段は、前記第１駆動子及び第１回転子を共に動作させるか否かを制御するとともに、前記第２伝達制御手段は、前記第２駆動子及び第２回転子を共に動作させるか否かを制御し、前記第１及び／又は第２駆動子が回転動作すると、前記第１及び／又は第２デッドボルトが駆動されて前記第１及び／又は第２の錠箱が施解錠され、
前記第１及び第２の錠箱の施解錠状態が異なる場合に前記室内操作手段を操作すると、回転動作する前記第１及び第２回転子と共に前記第１又は第２駆動子が回転動作して、一方の錠箱の施解錠状態が変更されるとともに他方の錠箱の施解錠状態が維持され、
前記第１及び第２の錠箱の施解錠状態が同じである場合に前記室内操作手段を操作すると、回転動作する前記第１及び第２回転子と共に前記第１及び第２駆動子が回転動作して前記第１及び第２の錠箱の施解錠状態を変更可能であり、
前記第１又は第２のシリンダー錠を操作すると、前記第１又は第２駆動子が回転動作し、前記第１及び第２回転子は動作しないことを特徴とする、請求項２に記載の施錠装置。
【請求項４】
前記第１回転子は前記第１駆動子内に差込可能であるとともに、前記第２回転子は前記第２駆動子内に差込可能であり、
前記第１駆動子は、該第１駆動子内に差し込まれる前記第１回転子と噛み合う第１噛合部、及び、前記第１回転子と噛み合わない第１空転部を備えるとともに、前記第２駆動子は、該第２駆動子内に差し込まれる前記第２回転子と噛み合う第２噛合部、及び、前記第２回転子と噛み合わない第２空転部を備え、
前記第１噛合部を介して前記第１回転子及び第１駆動子が噛み合う方向に前記第１回転子が回転動作すると、該第１回転子及び第１駆動子が共に回転動作するとともに、前記第１回転子の回転動作に連動して回転動作する前記第２回転子が、前記第２噛合部を介して前記第２回転子及び第２駆動子が噛み合う方向に回転動作すると、該第２回転子及び第２駆動子が共に回転動作し、
前記第１空転部を介して前記第１回転子及び第１駆動子が噛み合わない方向に前記第１回転子が回転動作すると、前記第１駆動子が回転動作せず、前記第１回転子の回転動作に連動して回転動作する前記第２回転子が、前記第２空転部を介して前記第２回転子及び第２駆動子が噛み合わない方向に回転動作すると、前記第２駆動子が回転動作しないことを特徴とする、請求項２又は３に記載の施錠装置。
【請求項５】
請求項２〜４のいずれか１項に記載の施錠装置において、
さらに、前記室内操作手段に、該室内操作手段の配置形態を略水平に保つべき水平維持手段が備えられていることを特徴とする、施錠装置。
【請求項６】
請求項２〜５のいずれか１項に記載の施錠装置において、
さらに、前記第１駆動子内に差込可能であるとともに該第１駆動子の回転動作に応じて回転動作し、かつ、その内部に前記第１回転子を差込可能な第１筒状凸部、を備える第１表示部が、前記第１駆動子と前記第１回転子との間に備えられ、
前記第２駆動子内に差込可能であるとともに該第２駆動子の回転動作に応じて回転動作し、かつ、その内部に前記第２回転子を差込可能な第２筒状凸部、を備える第２表示部が、前記第２駆動子と前記第２回転子との間に備えられ、
前記第１駆動子の内周面形状、並びに、前記第１筒状凸部の外周面形状及び内周面形状が、略同一又は相似形であるとともに、前記第２駆動子の内周面形状、並びに、前記第２筒状凸部の外周面形状及び内周面形状が、略同一又は相似形であることを特徴とする、施錠装置。
【請求項７】
前記一対の施錠ユニットは、第１の施錠ユニット及び第２の施錠ユニットからなり、
前記第１の施錠ユニットは、第１のシリンダー錠と、該第１のシリンダー錠の操作に応じて上下動する第１駆動子を備える第１連動部材と、該第１連動部材の上下動に応じて駆動される第１デッドボルトを備える第１の錠箱と、第１回転子及び該第１回転子を回転操作すべき室内操作手段を備える第１の室内錠とを備え、前記第１駆動子は、前記第１回転子の回転動作と共に上下動可能であるとともに、前記第１の錠箱及び第１の室内錠は、前記第１駆動子及び第１回転子を備える第１伝達制御手段を介して連動可能であり、
前記第２の施錠ユニットは、第２のシリンダー錠と、該第２のシリンダー錠の操作に応じて上下動する第２駆動子を備える第２連動部材と、該第２連動部材の上下動に応じて駆動される第２デッドボルトを備える第２の錠箱と、第２回転子を備える第２の室内錠とを備え、前記第２駆動子は、前記第２回転子の回転動作と共に上下動可能であり、前記第２の錠箱及び第２の室内錠は、前記第２駆動子及び第２回転子を備える第２伝達制御手段を介して連動可能であるとともに、前記第２回転子は、連動手段を介して前記第１回転子と連結されている、施錠装置であって、
前記室内操作手段を操作すると、前記第１回転子が回転動作するとともに、前記連動手段を介して該第１回転子と連結された前記第２回転子が連動して回転動作し、
前記第１伝達制御手段は、前記第１駆動子及び第１回転子を共に動作させるか否かを制御するとともに、前記第２伝達制御手段は、前記第２駆動子及び第２回転子を共に動作させるか否かを制御し、前記第１及び／又は第２駆動子が上下動すると、前記第１及び／又は第２デッドボルトが駆動されて前記第１及び／又は第２の錠箱が施解錠され、
前記第１及び第２の錠箱の施解錠状態が異なる場合に前記室内操作手段を操作すると、回転動作する前記第１及び第２回転子と共に前記第１又は第２駆動子が上下動して、一方の錠箱の施解錠状態が変更されるとともに他方の錠箱の施解錠状態が維持され、
前記第１及び第２の錠箱の施解錠状態が同じである場合に前記室内操作手段を操作すると、回転動作する前記第１及び第２回転子と共に前記第１及び第２駆動子が上下動して前記第１及び第２の錠箱の施解錠状態を変更可能であり、
前記第１又は第２のシリンダー錠を操作すると、前記第１又は第２駆動子が上下動し、前記第１及び第２回転子は動作しないことを特徴とする、請求項２に記載の施錠装置。
【請求項８】
前記第１回転子は、前記第１駆動子と噛み合う第１噛合部、及び、前記第１駆動子と噛み合わない第１空転部を備えるとともに、前記第２回転子は、前記第２駆動子と噛み合う第２噛合部、及び、前記第２駆動子と噛み合わない第２空転部を備え、
前記第１噛合部を介して前記第１駆動子及び第１回転子が噛み合う方向に前記第１回転子が回転動作すると、該第１回転子の回転動作と共に前記第１駆動子が上下動するとともに、前記第１回転子の回転動作に連動して回転動作する前記第２回転子が、前記第２噛合部を介して前記第２駆動子及び前記第２回転子が噛み合う方向に回転動作すると、該第２回転子の回転動作と共に前記第２駆動子が上下動し、
前記第１空転部を介して前記第１駆動子及び第１回転子が噛み合わない方向に前記第１回転子が回転動作すると、前記第１駆動子が動作せず、前記第１回転子の回転動作に連動して回転動作する前記第２回転子が、前記第２空転部を介して前記第２駆動子及び第２回転子が噛み合わない方向に回転動作すると、前記第２駆動子が動作しないことを特徴とする、請求項７に記載の施錠装置。
【請求項９】
請求項１〜８のいずれか１項に記載の施錠装置を備えることを特徴とする、開口部装置。
【発明の詳細な説明】
【技術分野】
【０００１】
本発明は、施錠装置及び該施錠装置を備える開口部装置に関し、特に、防犯性を維持しつつ操作性を容易に向上させることが可能な施錠装置及び該施錠装置を備える開口部装置に関する。
【背景技術】
【０００２】
わが国は世界に冠たる治安の安定した国であるが、一方で、賊が住宅に侵入して金品を奪い去るという犯罪も後を絶たない。かかる賊は、いわゆるサムターン回しやピッキング等の手口により、室外から侵入することが知られている。そのため、近年では、玄関扉に複数の錠を設ける等の方法により、防犯対策が施されている。なお、玄関扉等に設けられる錠は、室外側から操作されるシリンダー錠と、玄関扉等の内部に配設される錠箱とを備え、室内側からはサムターン等の操作手段を介して錠箱の施解錠を行うのが通常である。
【０００３】
このように、複数の錠を備える玄関扉等とすることで防犯性を向上させると、室内側から玄関扉等の施解錠操作を行う場合にも複数の操作手段の操作を行う必要がある。そのため、従来の施錠装置では、防犯性を向上させると、室内側からの施解錠操作の操作性が低下してしまうという問題があった。
【０００４】
かかる問題を解決するため、特許文献１には、室内側に設けられた１つのサムターンと、扉内に設けられた２つの錠箱と、室外側に設けられた２つのシリンダー錠とを備えた施錠装置に関する技術が開示されている。かかる技術によれば、錠箱及びシリンダー錠の構造を工夫することで、複数箇所でのロックが可能になり、室内側からは容易に施解錠操作が行え、室外側からは容易に解錠が行えない施錠装置が提供されるとしている。なお、特許文献１にかかる施錠装置では、室外側から２つのシリンダー錠を解錠操作する際に、一定の順番に従う必要がある。
【特許文献１】特開２００１−１６４８０６号公報
【発明の開示】
【発明が解決しようとする課題】
【０００５】
しかし、特許文献１に開示されている施錠装置によれば、賊ではない住人等が室外側から解錠操作する場合にも一定の順番に従う必要があるため、操作性の向上度合いが不十分であるという問題があった。
【０００６】
そこで、本発明は、防犯性を維持しつつ操作性を容易に向上させることが可能な施錠装置及び該施錠装置を備える開口部装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。また、以下の説明において、第１及び第２の施錠ユニットの各構成要素について説明する際に、第１、第２の区別をする必要がない場合には、適宜、第１、第２の語を省略して記載する。
【０００８】
請求項１に記載の発明は、室外側からそれぞれ独立して施解錠可能な一対の施錠ユニット（４０、８０、５４０、５８０）と、これら施錠ユニット（４０、８０、５４０、５８０）の施解錠に関する連動手段（９０、５９０）とを具備し、当該連動手段（９０、５９０）は室内側からの操作のみにより作動されることを特徴とする、施錠装置（１００、５００）を提供して前記課題を解決しようとするものである。
【０００９】
ここに、本発明にかかる連動手段（９０、５９０）は、一対の施錠ユニットを機械的な構造を介して連動させる手段を指し、電気的な制御により連動させる手段は含まない概念である。
【００１０】
請求項２に記載の発明は、請求項１に記載の施錠装置（１００、５００）において、一対の施錠ユニット（４０、８０、５４０、５８０）はそれぞれに、回転子（２１、７１、５２１、５７１）と駆動子（１１、６１、５１１、５６１）とを備え、室外側からの操作によっては、それぞれの駆動子（１１、６１、５１１、５６１）は連動せず、室内側からの操作に対してのみ一の回転子（２１、７１、５２１、５７１）が一の駆動子（１１、６１、５１１、５６１）を駆動可能であり、かかる一の回転子（２１、７１、５２１、５７１）の駆動が連動手段（９０、５９０）に伝えられることを特徴とする。
【００１１】
請求項３に記載の発明は、請求項２に記載の施錠装置において、一対の施錠ユニット（４０、８０）は、第１の施錠ユニット（４０）及び第２の施錠ユニット（８０）からなり、第１の施錠ユニット（４０）は、第１のシリンダー錠（１）と、当該第１のシリンダー錠（１）の操作に応じて回転動作する第１駆動子（１１）及び当該第１駆動子（１１）の回転動作に応じて駆動される第１デッドボルト（１２）を備える第１の錠箱（１０）と、第１駆動子（１１）と共に回転動作可能な第１回転子（２１）及び当該第１回転子（２１）と接続された室内操作手段（２２）を備える第１の室内錠（２０）とを、室外側から順に備え、第１の錠箱（１０）及び室内錠（２０）は、第１駆動子（１１）及び第１回転子（２１）を備える第１伝達制御手段（１５）を介して連動可能であり、第２の施錠ユニット（８０）は、第２のシリンダー錠（５１）と、当該第２のシリンダー錠（５１）の操作に応じて回転動作する第２駆動子（６１）及び当該第２駆動子（６１）の回転動作に応じて駆動される第２デッドボルト（６２）を備える第２の錠箱（６０）と、第２駆動子（６１）と共に回転動作可能な第２回転子（７１）を備える第２の室内錠（７０）とを、室外側から順に備え、第２の錠箱（６０）及び第２の室内錠（７０）は、第２駆動子（６１）及び第２回転子（７１）を備える第２伝達制御手段（６５）を介して接続されるとともに、第２回転子（７１）は、連動手段（９０）を介して第１回転子（２１）と連結されている、施錠装置（１００）であって、
室内操作手段（２２）を操作すると、第１回転子（２１）が回転動作するとともに、連動手段（９０）を介して第１回転子（２１）と連結された第２回転子（７１）が連動して回転動作し、第１伝達制御手段（１５）は、第１駆動子（１１）及び第１回転子（２１）を共に回転動作させるか否かを制御するとともに、第２伝達制御手段（６５）は、第２駆動子（６１）及び第２回転子（７１）を共に回転動作させるか否かを制御し、第１駆動子（１１）及び／又は第２駆動子（６１）が回転動作すると、第１デッドボルト（１２）及び／又は第２デッドボルト（６２）が駆動されて第１の錠箱（１０）及び／又は第２の錠箱（６０）が施解錠され、第１の錠箱（１０）及び第２の錠箱（６０）の施解錠状態が異なる場合に室内操作手段（２２）を操作すると、回転動作する第１回転子（２１）及び第２回転子（７１）と共に第１駆動子（１１）又は第２駆動子（６１）が回転動作して、一方の錠箱（１０又は６０）の施解錠状態が変更されるとともに他方の錠箱（６０又は１０）の施解錠状態が維持され、第１の錠箱（１０）及び第２の錠箱（６０）の施解錠状態が同じである場合に室内操作手段（２２）を操作すると、回転動作する第１回転子（２１）及び第２回転子（７１）と共に第１駆動子（１１）及び第２駆動子（６１）が回転動作して第１の錠箱（１０）及び第２の錠箱（６０）の施解錠状態を変更可能であり、第１のシリンダー錠（１）又は第２のシリンダー錠（５１）を操作すると、第１駆動子（１１）又は第２駆動子（６１）が回転動作し、第１回転子（２１）及び第２回転子（７１）は動作しないことを特徴とする。
【００１２】
ここに、本発明において、シリンダー錠（１、５１）の形態は特に限定されるものではなく、例えば、スイング型の扉等に使用されている形態のシリンダー錠等とすることができる。また、駆動子（１１、６１）の形態も特に限定されるものではなく、例えば、上記シリンダー錠に設けられている形態の軸穴等を好適に用いることができる。さらに、駆動子（１１、６１）及び回転子（２１、７１）が共に回転する際の形態も特に限定されるものではなく、他の部材を介さずに駆動子（１１、６１）及び回転子（２１、７１）が共に回転する形態であっても良く、他の部材を介して駆動子（１１、６１）及び回転子（２１、７１）が共に回転する形態であっても良い。他の部材を介さずに回転する形態の具体例としては、回転子（２１、７１）が駆動子（１１、６１）の中に差し込まれて、駆動子（１１、６１）及び回転子（２１、７１）が共に回転する形態等を挙げることができる。これに対し、他の部材を介して回転する形態の具体例としては、当該他の部材の少なくとも一部が駆動子（１１、６１）の中に差し込まれるとともに当該他の部材の中に回転子（２１、７１）が差し込まれて共に回転する形態や、当該他の部材の一端が駆動子（１１、６１）の中に、他端が回転子（２１、７１）の中に差し込まれて共に回転する形態等を挙げることができる。加えて、回転子（２１、７１）の形態は、室内操作手段（２２）の操作時には駆動子（１１、６１）及び回転子（２１、７１）、又は回転子（２１、７１）が回転可能であるとともに、シリンダー錠（１、５１）の操作時にはそれぞれの駆動子（１１、６１）を連動させない形態を備えていれば、特に限定されるものではない。また、室内操作手段（２２）の形態も特に限定されず、本発明にかかる施錠装置（１００）が備えられる開口部装置の形態等によって適宜選択可能である。その具体的な形態例としては、回転操作が可能なサムターン形態等を挙げることができる。
【００１３】
他方、請求項３にかかる施錠装置における、錠箱の施解錠状態と室内操作手段の操作との関係を以下に示す。すなわち、
ｉ）第１の錠箱（１０）及び第２の錠箱（６０）が解錠状態である場合に室内操作手段（２２）により施錠操作を行うと、第１の施錠ユニット（４０）では第１回転子（２１）及び第１駆動子（１１）が共に回転動作して第１の錠箱（１０）が施錠されるとともに、第２の施錠ユニット（８０）では第２回転子（７１）及び第２駆動子（６１）が共に回転動作して第２の錠箱（６０）が解錠される。
ｉｉ）第１の錠箱（１０）及び第２の錠箱（６０）が解錠及び施錠状態である場合に室内操作手段（２２）により施錠操作を行うと、第１の施錠ユニット（４０）では第１回転子（２１）及び第１駆動子（１１）が共に回転動作して第１の錠箱（１０）が施錠されるとともに、第２の施錠ユニット（８０）では第２回転子（７１）が回転動作する一方で第２駆動子（６１）が動作しないため、第２の錠箱（６０）の施錠状態が維持される。
ｉｉｉ）第１の錠箱（１０）及び第２の錠箱（６０）が施錠及び解錠状態である場合に室内操作手段（２２）により施錠操作を行うと、第１の施錠ユニット（４０）では第１回転子（２１）が回転動作する一方で第１駆動子（１１）が動作しないため、第１の錠箱（１０）の施錠状態が維持されるとともに、第２の施錠ユニット（８０）では第２回転子（７１）及び第２駆動子（６１）が共に回転動作して第２の錠箱（６０）が施錠される。
ｉｖ）第１の錠箱（１０）及び第２の錠箱（６０）が施錠状態である場合に室内操作手段（２２）により施錠操作を行うと、第１の施錠ユニット（４０）では第１回転子（２１）が回転動作する一方で第１駆動子（１１）が動作しないため第１の錠箱（１０）の施錠状態が維持されるとともに、第２の施錠ユニット（８０）では第２回転子（７１）が回転動作する一方で第２駆動子（６１）が動作しないため第２の錠箱（６０）の施錠状態が維持される。
ｖ）第１の錠箱（１０）及び第２の錠箱（６０）が施錠状態である場合に室内操作手段（２２）により解錠操作を行うと、第１の施錠ユニット（４０）では第１回転子（２１）及び第１駆動子（１１）が共に回転動作して第１の錠箱（１０）が解錠されるとともに、第２の施錠ユニット（８０）では第２回転子（７１）及び第２駆動子（６１）が共に回転動作して第２の錠箱（６０）が解錠される。
ｖｉ）第１の錠箱（１０）及び第２の錠箱（６０）が施錠及び解錠状態である場合に室内操作手段（２２）により解錠操作を行うと、第１の施錠ユニット（４０）では第１回転子（２１）及び第１駆動子（１１）が共に回転動作して第１の錠箱（１０）が解錠されるとともに、第２の施錠ユニット（８０）では第２回転子（７１）が回転動作する一方で第２駆動子（６１）が動作しないため、第２の錠箱（６０）の解錠状態が維持される。
ｖｉｉ）第１の錠箱（１０）及び第２の錠箱（６０）が解錠及び施錠状態である場合に室内操作手段（２２）により解錠操作を行うと、第１の施錠ユニット（４０）では第１回転子（２１）が回転動作する一方で第１駆動子（１１）が動作しないため、第１の錠箱（１０）の解錠状態が維持されるとともに、第２の施錠ユニット（８０）では第２回転子（７１）及び第２駆動子（６１）が共に回転動作して第２の錠箱（６０）が解錠される。
ｖｉｉｉ）第１の錠箱（１０）及び第２の錠箱（６０）が解錠状態である場合に室内操作手段（２２）により解錠操作を行うと、第１の施錠ユニット（４０）では第１回転子（２１）が回転動作する一方で第１駆動子（１１）が動作しないため第１の錠箱（１０）の解錠状態が維持されるとともに、第２の施錠ユニット（８０）では第２回転子（７１）が回転動作する一方で第２駆動子（６１）が動作しないため第２の錠箱（６０）の解錠状態が維持される。
なお、本発明において、錠箱（１０、６０）及びシリンダー錠（１、５１）は、従来の錠箱及びシリンダー錠等を好適に使用することが可能である。従来のシリンダー錠及び錠箱を使用する場合には、例えば、従来のサムターンに代わって、当該錠箱に備えられている駆動子（１１）と共に回転させるか否かを制御可能な形態を備える第１回転子（２１）、及び当該第１回転子（２１）に接続された室内操作手段（２２）を備える第１の室内錠（２０）と、従来の錠箱に備えられている駆動子（６１）と共に回転させるか否かを制御可能な形態を備える第２回転子（７１）を備える第２の室内錠（７０）と、当該第１回転子（２１）及び第２回転子（７１）を連結する連動手段（９０）とを備える構成とすればよい。
【００１４】
請求項４に記載の発明は、請求項２又は３に記載の施錠装置（１００）において、第１回転子（２１）は第１駆動子（１１）内に差込可能であるとともに、第２回転子（７１）は第２駆動子（６１）内に差込可能であり、第１駆動子（１１）は、当該第１駆動子（１１）内に差し込まれる第１回転子（２１）と噛み合う第１噛合部（１１ａ、１１ａ）、及び、第１回転子（２１）と噛み合わない第１空転部（１１ｂ、１１ｂ）を備えるとともに、第２駆動子（６１）は、当該第２駆動子（６１）内に差し込まれる第２回転子（７１）と噛み合う第２噛合部（６１ａ、６１ａ）、及び、第２回転子（７１）と噛み合わない第２空転部（６１ｂ、６１ｂ）を備え、第１噛合部（１１ａ、１１ａ）を介して第１回転子（２１）及び第１駆動子（１１）が噛み合う方向に第１回転子（２１）が回転動作すると、第１回転子（２１）及び第１駆動子（１１）が共に回転動作するとともに、第１回転子（２１）の回転動作に連動して回転する第２回転子（７１）が、第２噛合部（６１ａ、６１ａ）を介して第２回転子（７１）及び第２駆動子（６１）が噛み合う方向に回転動作すると、第２回転子（７１）及び第２駆動子（６１）が共に回転動作し、第１空転部（１１ｂ、１１ｂ）を介して第１回転子（２１）及び第１駆動子（１１）が噛み合わない方向に第１回転子（２１）が回転動作すると、第１駆動子（１１）が動作せず、第１回転子（２１）の回転動作に連動して回転動作する第２回転子（７１）が、第２空転部（６１ｂ、６１ｂ）を介して第２回転子（７１）及び第２駆動子（６１）が噛み合わない方向に回転動作すると、第２駆動子（６１又は５６１）が動作しないことを特徴とする。
【００１５】
請求項５に記載の発明は、請求項２〜４のいずれか１項に記載の施錠装置（１００）において、さらに、室内操作手段（２２）に、当該室内操作手段（２２）の配置形態を略水平に保つべき水平維持手段（２３）が備えられていることを特徴とする。
【００１６】
請求項６に記載の発明は、請求項２〜５のいずれか１項に記載の施錠装置（１００）において、さらに、第１駆動子（１１）内に差込可能であるとともに当該第１駆動子（１１）の回転動作に応じて回転動作し、かつ、その内部に第１回転子（２１）を差込可能な第１筒状凸部（２４）、を備える第１表示部（２５）が、第１駆動子（１１）と第１回転子（２１）との間に備えられるとともに、第２駆動子（６１）内に差込可能であるとともに当該第２駆動子（６１）の回転動作に応じて回転動作し、かつ、その内部に第２回転子（７１）を差込可能な第２筒状凸部（７４）、を備える第２表示部（７５）が、第２駆動子（６１）と第２回転子（７１）との間に備えられ、第１駆動子（１１）の内周面形状、並びに、第１筒状凸部（２４）の外周面形状及び内周面形状が、略同一又は相似形であるとともに、第２駆動子（６１）の内周面形状、並びに、第２筒状凸部（７４）の外周面形状及び内周面形状が、略同一又は相似形であることを特徴とする。
【００１７】
請求項７に記載の発明は、請求項２に記載の施錠装置（５００）において、一対の施錠ユニット（５４０、５８０）は、第１の施錠ユニット（５４０）及び第２の施錠ユニット（５８０）からなり、第１の施錠ユニット（５４０）は、第１のシリンダー錠（５０１）と、当該第１のシリンダー錠（５０１）の操作に応じて上下動する第１駆動子（５１１）を備える第１連動部材（５４５）と、当該第１連動部材（５４５）の上下動に応じて駆動される第１デッドボルト（５１２）を備える第１の錠箱（５１０）と、第１回転子（５２１）及び当該第１回転子（５２１）を回転操作すべき室内操作手段（５２２）を備える第１の室内錠（５２０）とを備え、第１駆動子（５１１）は、第１回転子（５２１）の回転動作と共に上下動可能であるとともに、第１の錠箱（５１０）及び第１の室内錠（５２０）は、第１駆動子（５１１）及び第１回転子（５２１）を備える第１伝達制御手段（５１５）を介して連動可能であり、第２の施錠ユニット（５８０）は、第２のシリンダー錠（５５１）と、当該第２のシリンダー錠（５５１）の操作に応じて上下動する第２駆動子（５６１）を備える第２連動部材（５８５）と、当該第２連動部材（５８５）の上下動に応じて駆動される第２デッドボルト（５６２）を備える第２の錠箱（５６０）と、第２回転子（５７１）を備える第２の室内錠（５７０）とを備え、第２駆動子（５６１）は、第２回転子（５７１）の回転動作と共に上下動可能であり、第２の錠箱（５６０）及び第２の室内錠（５７０）は、第２駆動子（５６１）及び第２回転子（５７１）を備える第２伝達制御手段（５６５）を介して連動可能であるとともに、第２回転子（５７１）は、連動手段（５９０）を介して第１回転子（５２１）と連結されている、施錠装置（５００）であって、
室内操作手段（５２２）を操作すると、第１回転子（５２１）が回転動作するとともに、連動手段（５９０）を介して当該第１回転子（５２１）と連結された第２回転子（５７１）が連動して回転動作し、第１伝達制御手段（５１５）は、第１駆動子（５１１）及び第１回転子（５２１）を共に動作させるか否かを制御するとともに、第２伝達制御手段（５６５）は、第２駆動子（５６１）及び第２回転子（５７１）を共に動作させるか否かを制御し、第１駆動子（５１１）及び／又は第２駆動子（５６１）が上下動すると、第１デッドボルト（５１２）及び／又は第２デッドボルト（５６２）が駆動されて第１の錠箱（５１０）及び／又は第２の錠箱（５６０）が施解錠され、第１の錠箱（５１０）及び第２の錠箱（５６０）の施解錠状態が異なる場合に室内操作手段（５２２）を操作すると、回転動作する第１回転子（５２１）及び第２回転子（５７１）と共に第１駆動子（５１１）又は第２駆動子（５６１）が上下動して、一方の錠箱（５１０又は５６０）の施解錠状態が変更されるとともに他方の錠箱（５６０又は５１０）の施解錠状態が維持され、第１の錠箱（５１０）及び第２の錠箱（５６０）の施解錠状態が同じである場合に室内操作手段（５２２）を操作すると、回転動作する第１回転子（５２１）及び第２回転子（５７１）と共に第１駆動子（５１１）及び第２駆動子（５６１）が上下動して第１の錠箱（５１０）及び第２の錠箱（５６０）の施解錠状態を変更可能であり、第１のシリンダー錠（５０１）又は第２のシリンダー錠（５５１）を操作すると、第１駆動子（５１１）又は第２駆動子（５６１）が上下動し、第１回転子（５２１）及び第２回転子（５７１）は動作しないことを特徴とする、施錠装置（５００）により、上記課題を解決する。
【００１８】
ここに、本発明において、シリンダー錠（５０１、５５１）の形態は特に限定されるものではなく、引戸等に使用される形態のシリンダー錠等とすることができる。また、第１連動部材（５４５）及び第２連動部材（５８５）は、第１駆動子（５１１）及び第２駆動子（５６１）を備えるとともに、当該第１及び第２連動部材（５４５、５８５）の動作を介して第１及び第２デッドボルト（５１２、５６２）が駆動され得る形態（例えば、デッドボルトの駆動部に動作を伝達可能な部材を備える形態）を有していれば、特に限定されるものではない。連動部材（５４５、５８５）の形態例としては、引戸等に設けられる上記シリンダー錠と、いわゆるラック＆ピニオン式にて駆動され得る部材に、駆動子（５１１、５６１）及びデッドボルトの駆動部に動作を伝達可能な部材（５４６、５８６）が設けられた形態等を挙げることができる。さらに、駆動子（５１１、５６１）は、回転動作する回転子（５２１、５７１）と共に上下動可能な形態を備えていれば、その形態は特に限定されるものではなく、その具体例としては、連動部材（５４５、５８５）に設けられた凸状の駆動子（５１１、５６１）等を挙げることができる。加えて、駆動子（５１１、５６１）及び回転子（５２１、５７１）が共に動作する際の形態も特に限定されるものではない。当該動作形態の具体例としては、回転子（５２１、５７１）の側部に設けられた凸部と凸状の駆動子（５１１、５６１）とが噛み合って、回転動作する回転子（５２１、５７１）と共に駆動子（５１１、５６１）が上下動する形態や、他の部材を介して上下動する駆動子（５１１、５６１）と回転動作する回転子（５２１、５７１）とが共に動作する形態等を挙げることができる。また、回転子（５２１、５７１）の形態は、室内操作手段（５２２）の操作時には回転子（５２１、５７１）及び駆動子（５１１、５６１）、又は回転子（５２１、５７１）が動作可能であるとともに、シリンダー錠（５０１、５５１）の操作時にはそれぞれの駆動子（５１１、５６１）を連動させない形態を備えていれば、特に限定されるものではない。さらに、室内操作手段（５２２）の形態は、上記第１回転子（５２１）を回転動作させ得る形態であれば特に限定されるものではない。その具体的な形態例としては、回転動作可能な室内操作手段を回転することにより、当該室内操作手段と連結された第１回転子を回転させる形態や、直線方向の力を円周方向の力へと変換可能な室内操作手段（５２２）と第１回転子（５２１）とを連結し、当該室内操作手段（５２２）に加えられる直線方向の力を利用して第１回転子（５２１）を回転させる形態等を挙げることができる。
他方、請求項７にかかる施錠装置では、室内側からの操作により、第１駆動子（５１１）が、室内操作手段（５２２）を介して回転操作される第一回転子（５２１）と共に上下動すると、当該駆動子（５１１）の上下動が第１連動部材（５４５）を介して第１デッドボルト（５１２）へと伝わり、第１の錠箱（５１０）が施解錠される。また、上記第１回転子（５２１）と連動して回転する第２回転子（５７１）と共に第２駆動子（５６１）が上下動すると、当該駆動子（５６１）の上下動が第２連動部材（５８５）を介して第２デッドボルト（５６２）へと伝わり、第２の錠箱（５６０）が施解錠される。すなわち、請求項７にかかる施錠装置（５００）を、室内側から施解錠する際の動作原理は、回転子（５２１、５７１）の回転動作を駆動子（５１１、５６１）及び連動部材（５４５、５８５）の上下動へと変換し、当該連動部材（５４５、５８５）の上下動が錠箱（５１０、５６０）へと伝わることで錠箱（５１０、５６０）が施解錠される他は、上記請求項３にかかる施錠装置の動作原理と同様である。したがって、この点を除き、請求項７にかかる施錠装置における、錠箱の施解錠状態と室内操作手段の操作との関係は、上記請求項３における関係と以下同様に考えることができる。
【００１９】
請求項８に記載の発明は、請求項２又は７に記載の施錠装置（５００）において、第１回転子（５２１）は、第１駆動子（５１１）と噛み合う第１噛合部（５２１ａ、５２１ａ）、及び、第１駆動子（５１１）と噛み合わない第１空転部（５２１ｂ）を備えるとともに、第２回転子（５７１）は、第２駆動子（５６１）と噛み合う第２噛合部（５７１ａ、５７１ａ）、及び、第２駆動子（５６１）と噛み合わない第２空転部（５７１ｂ）を備え、第１噛合部（５２１ａ、５２１ａ）を介して第１駆動子（５１１）及び第１回転子（５２１）が噛み合う方向に第１回転子（５２１）が回転動作すると、当該第１回転子（５２１）の回転動作と共に第１駆動子（５１１）が上下動するとともに、第１回転子（５２１）の回転動作に連動して回転動作する第２回転子（５７１）が、第２噛合部（５７１ａ、５７１ａ）を介して第２駆動子（５６１）及び第２回転子（５７１）が噛み合う方向に回転動作すると、当該第２回転子（５７１）の回転動作と共に第２駆動子（５６１）が上下動し、第１空転部（５２１ｂ）を介して第１駆動子（５１１）及び第１回転子（５２１）が噛み合わない方向に第１回転子（５２１）が回転動作すると、第１駆動子（５１１）が動作せず、第１回転子（５２１）の回転動作に連動して回転動作する第２回転子（５７１）が、第２空転部（５７１ｂ）を介して第２駆動子（５６１）及び第２回転子（５７１）が噛み合わない方向に回転動作すると、第２駆動子（５６１）が動作しないことを特徴とする。
【００２０】
請求項９に記載の発明は、請求項１〜８のいずれか１項に記載の施錠装置（１００、５００）を備えることを特徴とする、開口部装置（１０００、５０００）により、上記課題を解決する。
【００２１】
ここに、本発明にかかる開口部装置の形態は、本発明にかかる施錠装置（１００、５００）を備えることが可能であれば、特に限定されるものではない。その形態の具体例としては、スイング型若しくは引戸型の玄関、勝手口、又は通用口等を挙げることができる。
【発明の効果】
【００２２】
請求項１に記載の発明によれば、例えば、室外側から解錠する場合には各施錠ユニット（４０、８０、５４０、５８０）に対して独立した解錠操作を行う必要がある。これに対し、室内側から解錠する場合には、上記施錠ユニット（４０、８０、５４０、５８０）を機械的に連動させる連動手段（９０、５９０）を介して、一度の解錠操作により、一対の施錠ユニット（４０、８０、５４０、５８０）を解錠することが可能になる。そして、請求項１にかかる施錠装置（１００、５００）によれば、一対の施錠ユニット（４０、８０、５４０、５８０）は、室外側から独立して施解錠されるので、解錠操作時に遵守すべき操作手順は存在しない。そのため、かかる構成とすることで、防犯性を維持しつつ操作性を向上させることが可能な施錠装置（１００、５００）を提供することが可能になる。
【００２３】
請求項２に記載の発明によれば、室外側からの操作では駆動子（１１、６１、５１１、５６１）が連動せず、室内側からの操作では回転子（２１、７１、５２１、５７１）と共に駆動子（１１、６１、５１１、５６１）が駆動可能である。そのため、駆動子（１１、６１、５１１、５６１）及び回転子（２１、７１、５２１、５７１）の動作を機械的に制御することで、室内側からの操作のみにより機械的に作動される連動手段（９０、５９０）を備える施錠装置（１００、５００）とすることが可能になる。したがって、請求項２に記載の発明によれば、防犯性を維持しつつ操作性を向上させ得る施錠装置（１００、５００）を提供することが可能になる。
【００２４】
請求項３に記載の発明によれば、１つの室内操作手段（２２）を操作することにより、室内側から２つの錠箱（１０、６０）の施解錠操作を行うことが可能であるとともに、室外側には、独立して動作する２つのシリンダー錠（１、５１）が備えられているので、高い防犯性を維持することが可能になる。そして、上記２つのシリンダー錠（１、５１）には、解錠時に遵守すべき順番等は存在しない。したがって、請求項３に記載の発明によれば、防犯性を維持しつつ操作性を容易に向上させ得る施錠装置（１００）を提供することが可能になる。また、請求項３にかかる施錠装置（１００）は、上述のように、従来のシリンダー錠及び錠箱を用いることが可能である。そのため、例えば、従来のサムターンを取り外して、本発明にかかる第１の室内錠（２０）、第２の室内錠（７０）、及び連動手段（９０）を後付けするのみで、防犯性を維持しつつ操作性を容易に向上させることが可能な施錠装置（１００）へと変更することも可能になる。
【００２５】
請求項４に記載の発明によれば、第１及び第２の駆動子（１１、６１）に、噛合部（１１ａ、１１ａ、６１ａ、６１ａ、）と空転部（１１ｂ、１１ｂ、６１ｂ、６１ｂ）とがそれぞれ備えられているので、駆動子と回転子とを共に回転させるか否かを、確実に制御することが可能になる。したがって、請求項４に記載の発明によれば、防犯性を維持しつつ操作性を容易に向上させ得る施錠装置（１００）を提供することが可能になる。
【００２６】
請求項５に記載の発明によれば、回転操作後の室内操作手段（２２）が略水平に保たれるので、室内側からの施解錠操作時に、当該室内操作手段（２２）を９０度回転するのみで施解錠可能な、施錠装置（１００）とすることが可能になる。したがって、請求項５に記載の発明によれば、さらに、操作性を一層向上させ得る施錠装置（１００）を提供することが可能になる。
【００２７】
請求項６に記載の発明によれば、第１表示部（２５）及び第２表示部（７５）が備えられているので、室内側から錠箱（１０、６０）の施解錠状態を容易に識別することが可能になる。したがって、請求項６に記載の発明によれば、さらに、操作性をより一層向上させ得る施錠装置（１００）を提供することが可能になる。
【００２８】
請求項７に記載の発明によれば、１つの室内操作手段（５２２）を操作することにより、室内側から２つの錠箱（５１０、５６０）の施解錠操作を行うことが可能であるとともに、室外側から当該２つの錠箱（５１０、５６０）の施解錠操作を行う場合には、２つのシリンダー錠（５０１、５５１）を個別に操作する必要があるため、防犯性を維持しつつ操作性を容易に向上させ得る施錠装置（５００）を提供することが可能になる。なお、請求項７にかかるシリンダー錠（５０１、５５１）にも、解錠時に遵守すべき順番等は存在しない。また、請求項７にかかる施錠装置（５００）も、上述のように、従来のシリンダー錠及び錠箱を用いることが可能である。そのため、請求項７にかかる施錠装置も、従来のシリンダー錠及び錠箱に必要な部材を後付けすることで、防犯性を維持しつつ操作性を容易に向上させることが可能な施錠装置（５００）へと変更することも可能になる。
【００２９】
請求項８に記載の発明によれば、第１及び第２の回転子（５２１、５７１）に、噛合部（５２１ａ、５２１ａ、５７１ａ、５７１ａ、）と空転部（５２１ｂ、５７１ｂ）とがそれぞれ備えられているので、駆動子と回転子とを共に回転させるか否かを、確実に制御することが可能になる。したがって、請求項８に記載の発明によれば、防犯性を維持しつつ操作性を容易に向上させ得る施錠装置（５００）を提供することが可能になる。
【００３０】
請求項９に記載の発明によれば、防犯性を維持しつつ操作性を容易に向上させることが可能な施錠装置（１００、５００）が備えられているので、防犯性を維持しつつ操作性を容易に向上させ得る開口部装置（１０００、５０００）を提供することが可能になる。
【００３１】
本発明のこのような作用及び利得は、次に説明する発明を実施するための最良の形態から明らかにされる。
【発明を実施するための最良の形態】
【００３２】
以下本発明を図面に示す実施形態に基づき説明する。
【００３３】
１．第１実施形態
１．１．施錠装置及び開口部装置
図１は、第１実施形態にかかる本発明の施錠装置を備える開口部装置の代表的な部位を抽出して概略的に示す、室内側の外観図である。図１では、本発明の主要部分と直接関係しない箇所は適宜省略し、室内錠の主な構成要素を適宜透過させて示している。図示の開口部装置は、マンション等に代表される集合住宅の玄関等に好適に使用されるスイング型の玄関扉を備える開口部装置１０００であり、当該玄関扉に第１実施形態にかかる施錠装置１００が備えられている。
【００３４】
施錠装置１００は、第１の施錠ユニット４０と第２の施錠ユニット８０とを備えている。第１の施錠ユニット４０は、室外側に設けられた第１のシリンダー錠（不図示）、扉の内部に設けられた第１の錠箱１０、及び当該第１の錠箱１０の室内側に設けられた第１の室内錠２０を備え、第２の施錠ユニット８０は、室外側に設けられた第２のシリンダー錠（不図示）、扉の内部に設けられた第２の錠箱６０、及び当該第２の錠箱６０の室内側に設けられた第２の室内錠７０を備えている。第１の室内錠２０は、第１回転子を備える第１回転手段２１Ａ、第１回転子を回転操作すべき室内操作手段（以下において、「サムターン」と記述することがある。）２２、及び、当該サムターン２２の台座となるべきサムターンカラー２９を備えている。第２の室内錠７０は、第２回転子を備える第２回転手段７１Ａを備える一方、第２回転子を回転させるべき室内操作手段を備えず、第１回転手段２１Ａと第２回転手段７１Ａとは、連動手段としてのワイヤ９０により連結されている。施錠装置１００において、ワイヤ９０の一端は第１回転手段２１Ａに、同他端は第２回転手段７１Ａに、それぞれ固定されており、上記一端を出たワイヤ９０は、第１回転手段２１Ａの側面に形成された溝、及び第２回転手段７１Ａの側面に形成された溝を介して、上記他端へと達している。そのため、例えば、サムターン２２を時計回りに回転操作することにより第１回転手段２１Ａが時計回りに回転すると、連動手段としてのワイヤ９０はその長さが固定されていることから、当該ワイヤ９０を介して第２回転手段７１Ａを時計回りの方向へと回転させる力が働き、その結果として、第２回転手段７１Ａも時計回りに回転する。なお、第１回転手段２１Ａが反時計回りに回転する場合には、以下同様にして、第２回転手段７１Ａも反時計回りに回転する。なお、本実施形態にかかる施錠装置１００において、第１回転手段２１Ａ、ワイヤ９０、第２回転手段７１Ａは扉の内部に備えられており、扉の内部に備えられる各部材は、外部（室内及び室外側）から認識されないように配置されている。かかる形態を有する施錠装置１００は、上記第１の錠箱１０に備えられる第１デッドボルト１２及び上記第２の錠箱６０に備えられる第２デッドボルト６２が駆動されることにより、施解錠される。
【００３５】
図２は、第１実施形態にかかる本発明の施錠装置を備える開口部装置を概略的に示す外観図である。図２（Ａ）は、上記開口部装置１０００を室外側から見た外観図であり、図２（Ｂ）は、同開口部装置１０００を室内側から見た外観図である。
【００３６】
図２（Ａ）に示すように、開口部装置１０００の室外側には、第１のシリンダー錠１及び第２のシリンダー錠５１が備えられており、室外側から施解錠操作を行う際には、これらのシリンダー錠１、５１を個別に操作する必要がある。そして、シリンダー錠１、５１の解錠操作を行って玄関扉の内部に備えられている第１の錠箱及び第２の錠箱（不図示）が解錠されると、例えば、室外側把手を掴んで紙面手前方向に移動させる等の方法により、玄関扉を室外側へと開くことが可能になる。これに対し、図２（Ｂ）に示すように、開口部装置１０００の室内側には、第１の室内錠２０のサムターン２２及びサムターンカラー２９が室内側から認識可能なように設けられており、扉の中に備えられている第１の室内錠の第１回転手段や、第２の室内錠の第２回転手段等は、室内側から認識されない。ここに、第１の室内錠の第１回転手段と第２の室内錠の第２回転手段とは、連動手段としてのワイヤを介して連結されている。そのため、室内側から施解錠操作を行う際には、サムターン２２のみを回転操作することで、第１の錠箱及び第２の錠箱を施解錠することが可能になる。サムターン２２を用いて解錠操作することにより第１及び第２の錠箱が解錠されると、例えば、室内側把手を掴んで扉を紙面奥の方向に移動させる等の方法により、玄関扉を室外側へと開くことが可能になる。
【００３７】
図３は、第１の室内錠２０及び第２の室内錠７０の各構成部材、並びに、第１の錠箱１０及び第２の錠箱６０の配置形態を概略的に示す外観図である。
第１の室内錠２０は、第１筒状凸部２４を備える第１表示部２５、ネジ穴２６Ｂ、２６Ｄ、及び孔２６Ｅ、２６Ｆ、２６Ｇを備える第１固定部材２６、並びに、凸状形態を有する第１回転子２１、孔２１Ｂを備える部、及び孔２１Ｅを備える第１回転手段２１Ａを備え、さらに、孔２７Ｄを備える部及び孔２７Ｅを備える狭持部材２７と、孔２３Ｅ及び水平維持手段としてのバネ２３を備える水平維持部材２３Ａと、孔２８Ｅを備える固定リング２８と、孔２９Ｂを備える部、孔２９Ｄを備える部、及び孔２９Ｅを備えるサムターンカラー２９と、凸状形態を有する回転子操作部２２Ｅを備えるサムターン２２と、を備えている。そして、第１の錠箱１０は、溝状形態を有する第１駆動子１１と、孔１０Ｆ及び１０Ｇとを備えており、当該第１駆動子１１、第１筒状凸部２４、孔２６Ｅ、第１回転子２１及び孔２１Ｅ、孔２７Ｅ、孔２３Ｅ、孔２８Ｅ、孔２９Ｅ、並びに、回転子操作部２２Ｅは、同軸方向に配置されている。なお、上記第１回転子２１は、上記孔２６Ｅを貫通可能な形態で第１固定部材２６側に備えられており、第１筒状凸部２４及び第１駆動子１１の中に差込可能な形態を有している。
【００３８】
一方、第２の室内錠７０は、第２筒状凸部７４を備える第２表示部７５、ネジ穴７６Ｂ、７６Ｄ、及び孔７６Ｅ、７６Ｆ、７６Ｇを備える第２固定部材７６、並びに、凸状形態を有する第２回転子７１及び孔７１Ｅを備える第２回転手段７１Ａ、を備えている。そして、第２の錠箱６０は、溝状形態を有する第２駆動子６１と、孔６０Ｆ及び６０Ｇとを備えており、当該第２駆動子６１、第２筒状凸部７４、孔７６Ｅ、第２回転子７１及び孔７１Ｅは、同軸方向に配置されている。なお、上記第２回転子７１は、上記孔７６Ｅを貫通可能な形態で第２固定部材７６側に備えられており、第２筒状凸部７４及び第２駆動子６１の中に差込可能な形態を有している。
【００３９】
ここに、上記構成部材において、第１駆動子１１の内周面形状及び第１筒状凸部２４の外周面形状、孔２１Ｅの内周面形状及び回転子操作部２２Ｅの外周面形状、並びに、第２駆動子６１の内周面形状及び第２筒状凸部７４の外周面形状は、略同一である。また、第１回転子２１及び第２回転子７１は、第１回転手段２１Ａ、連動手段としてのワイヤ９０、及び第２回転手段７１Ａを介して連結されており、当該ワイヤ９０の一端は、第１回転手段２１Ａの部位２１Ｊに、同他端は、第２回転手段７１Ａの部位７１Ｊに、それぞれ固定されている。
【００４０】
上記構成部材により構成される第１の室内錠２０を第１の錠箱１０の室内側へと配置する場合には、例えば、第１筒状凸部２４を、第１駆動子１１内に嵌め込んだ後、当該凸部２４の軸中心と孔２６Ｅの軸中心とが略同一となるように第１固定部材２６を配置する。そして、ネジ２６ｆを孔２６Ｆ及び孔１０Ｆへ差し込むとともに、ネジ２６ｇを孔２６Ｇ及び孔１０Ｇへ差し込み、これらのネジ２６ｆ及び２６ｇを孔１０Ｆ及び１０Ｇへと固定することにより、第１の錠箱１０、第１表示部２５、及び第１固定部材２６を固定する。
【００４１】
次に、第１固定部材２６の端面側部に形成されている溝部２６Ｈに、第１回転手段２１Ａの外縁に形成された凸部２１Ｈを嵌め込むことで、第１固定部材２６と、ワイヤ９０により第２回転手段７１Ａと連結された第１回転手段２１Ａとを固定する。ここに、第１回転手段２１Ａの第１固定部材２６側には、孔２６Ｅを貫通し得る形態を有する第１回転子２１が備えられている。そのため、第１回転手段２１Ａを第１固定部材２６に固定すると、第１回転子２１は、第１固定部材２６の孔２６Ｅを介して第１筒状凸部２４の中へと差し込まれる。
【００４２】
さらに、サムターン２２の回転子操作部２２Ｅを、上記孔２９Ｅ、２８Ｅ、２３Ｅ、及び２７Ｅの中へと順に差し込むことで、サムターン２２、サムターンカラー２９、固定リング２８、バネ２３、水平維持部材２３Ａ、及び狭持部材２７を簡易的に固定し、引き続き、このようにして狭持部材２７の第１回転手段２１Ａ側に突き出された回転子操作部２２Ｅを、第１回転手段２１Ａの孔２１Ｅへと嵌め込む。そして、ネジ２９ｂを孔２９Ｂ、孔２１Ｂ、及びネジ穴２６Ｂへ差し込むとともに、ネジ２９ｄを孔２９Ｄ、孔２７Ｄ、及び、ネジ穴２６Ｄへ差し込み、これらのネジ２９ｂ、２９ｄをネジ穴２６Ｂ、２６Ｄへと固定する。このような手順を経ることで、上記第１の錠箱１０に固定された第１表示部２５、第１固定部材２６、及び第１回転手段２１Ａと、サムターン２２、サムターンカラー２９、固定リング２８、水平維持部材２３Ａ、及び狭持部材２７とを固定し、第１の室内錠２０を形成することが可能になる。
【００４３】
一方、上記構成部材により構成される第２の室内錠７０を第２の錠箱６０の室内側へと配置する場合には、例えば、第２筒状筒部７４を、第２駆動子６１内に嵌め込んだ後に、当該凸部７４の軸中心と孔７６Ｅの軸中心とが略同一となるように第２固定部材７６を配置する。そして、ネジ７６ｆを孔７６Ｆ及び孔６０Ｆへ差し込むとともに、ネジ７６ｇを孔７６Ｇ及び孔６０Ｇへ差し込み、これらのネジ７６ｆ及び７６ｇを孔６０Ｆ及び６０Ｇへと固定することにより、第２の錠箱６０、第２表示部７５、及び第２固定部材７６を固定する。さらに、第２固定部材７６の端面側部に形成されている溝部７６Ｈに、第２回転手段７１Ａの外縁に形成された凸部７１Ｈを嵌め込むことで、第２固定部材７６と、ワイヤ９０により第１回転手段２１Ａと連結された第２回転手段７１Ａとを固定する。このような手順を経ることで、第２の室内錠７０を、第２の錠箱６０の室内側へと配置することが可能になる。
なお、第２の室内錠７０には、水平維持部材やサムターン等が備えられていないため、これらの部材を第２の室内錠７０に取り付ける必要はない。
【００４４】
図４に、上記手順等により組み立てられた第１の室内錠２０の正面図、側面図、及び上面図、並びに、第２の室内錠７０の正面図及び側面図を概略的に示す。図４（Ａ）は、第１の室内錠２０の正面図であり、図４（Ｂ)は、図４（Ａ）の矢視図（側面図）、図４（Ｃ）は、図４（Ａ）の矢視図（上面図）である。また、図４（Ｄ）は、第２の室内錠７０の正面図であり、図４（Ｅ）は、図４（Ｄ）の矢視図（側面図）である。なお、図４にかかる室内錠の各部位には、図３にかかる室内錠の対応部位に付した符号と同符号を付し、その説明を省略する。また、図４（Ｂ）及び（Ｅ）では、適宜、各部材を透過させて示している。
【００４５】
このようにして、第１の錠箱及び第２の錠箱の室内側に、第１の室内錠２０及び第２の室内錠７０が備えられれば、サムターン２２の回転操作のみにより、室内側から、第１の錠箱及び第２の錠箱の施解錠操作を行うことが可能になる。そこで、以下に、室内側から実施する、第１の錠箱及び第２の錠箱の施解錠操作について概説する。
【００４６】
上述のように、サムターン２２の回転子操作部２２Ｅは、第１回転手段２１Ａの孔２１Ｅに嵌め込まれている。そのため、サムターン２２を回転操作すると、上記回転子操作部２２Ｅ及び孔２１Ｅを介して当該サムターン２２と連結された第１回転手段２１Ａが、サムターン２２と同じ方向へ回転する。ここに、第１回転手段２１Ａには、第１固定部材２６側に凸状の第１回転子２１が備えられている。そのため、サムターン２２を回転操作すると、第１回転子２１が、サムターン２２と同じ方向へ回転する。一方で、当該第１回転子２１は、溝状形態を有する第１駆動子１１に嵌め込まれた第１筒状凸部２４の中に差し込まれている。上述のように、第１駆動子１１の内周面形状と第１筒状凸部２４の外周面形状とは略同一であるため、第１回転子２１と共に第１筒状凸部２４が回転すれば、同時に、第１駆動子１１も回転する。ここに、第１駆動子１１は、第１の箱錠１０に備えられており、当該第１駆動子１１が回転すると、その回転に応じて第１デッドボルト（不図示）が図の矢印方向へ駆動され、第１の箱錠１０が施解錠される。すなわち、上記第１駆動子１１と第１回転子２１とが共に回転する方向に、サムターン２２を回転操作すれば、当該サムターン２２の操作により第１の錠箱１０を施解錠することが可能になる。なお、第１の室内錠２０には、サムターン２２を水平状態に維持すべき水平維持手段としてのバネ２３が備えられているため、回転操作後のサムターン２２は、当該バネ２３の作用により、水平状態に維持される。加えて、第１回転子２１は、回転子操作部２２Ｅ及び孔２１Ｅを介して当該サムターン２２と連結されているため、サムターン２２による回転操作後の第１回転子２１も水平状態に維持される。
【００４７】
他方、上述のように、第１回転子２１と第２回転子７１とは、第１回転手段２１Ａ及び第２回転手段７１Ａに両端を固定されたワイヤ９０を介して連結されている。そのため、サムターン２２の回転操作により第１回転手段２１Ａが回転すると、当該第１回転手段２１Ａの回転に連動して、第２回転手段７１Ａが、上記第１回転手段２１Ａと同じ方向へ回転する。ここで、図示のように、第１の施錠ユニット４０における、第１の錠箱１０から第１回転手段２１Ａまでの構成部材の配置と、第２の施錠ユニット８０における、第２の錠箱６０から第２回転手段７１Ａまでの構成部材の配置とは、同等である。したがって、第１回転子の回転によって第１の錠箱が施解錠される原理と以下同様の原理により、第２回転子の回転によって第２の錠箱を施解錠することが可能になる。なお、第２回転子７１は、連動手段としてのワイヤ９０を介して上記第１回転子２１と連結されているため、上記回転操作後の第２回転子７１も水平状態に維持される
【００４８】
本実施形態にかかる上記説明では、第１及び第２筒状凸部を介して第１及び第２駆動子内に第１及び第２回転子が差込まれる形態の、第１及び第２の錠箱並びに室内錠を備える施錠装置について記述したが、本発明にかかる施錠装置は、かかる形態に限定されるものではない。本発明の施錠装置では、室外側から施解錠操作を行う際に第１及び第２駆動子が連動しない一方で、室内側から施解錠操作を行う際に、第１及び第２回転子、又は第１及び第２回転子並びに第１及び第２駆動子が回転可能な形態を備えていれば、駆動子内に回転子が差し込まれない他の形態であっても好適に使用することが可能である。当該他の形態の具体例としては、駆動子及び回転子が他の部材を介して共に回転可能とされている形態の施錠装置において、当該他の部材の一端が駆動子内に差し込まれるとともに当該他の部材における他端の内部に回転子が差し込まれることにより駆動子及び回転子が共に回転可能とされる形態等を挙げることができる。
また、本実施形態にかかる上記説明では、第１及び第２駆動子の内周面形状と略同一の外周面形状を有する第１及び第２筒状凸部を備える形態の施錠装置について記述したが、本発明にかかる施錠装置に備えられ得る筒状凸部の形態は、当該形態に限定されるものではない。
【００４９】
本実施形態にかかる上記説明では、第１及び第２回転子が、第１及び第２回転手段に備えられる形態について記述したが、本発明の施錠装置では、連動手段を介して第１及び第２回転子が連結されていれば、当該形態に限定されるものではない。さらに、上記説明では、従来のサムターン形態を有する室内操作手段について記述したが、本発明の施錠装置に備えられる室内操作手段は、当該形態に限定されるものではなく、第１及び第２回転子を操作可能な形態を備えていれば、他の形態であっても良い。
【００５０】
加えて、本実施形態にかかる上記説明では、第１筒状凸部を備える第１表示部、第２筒状凸部を備える第２表示部、第１及び第２固定部材、狭持部材、水平維持手段を備える水平維持部材、固定リング、及び、サムターンカラーを備える形態の施錠装置について記述したが、本発明にかかる施錠装置は、当該形態に限定されるものではなく、上記効果を奏することが可能であれば、他の形態を有する施錠装置であっても良い。但し、室内側から施解錠状態を容易に識別可能とするという観点から、第１及び第２表示部が備えられていることが好ましく、また、室内側からの施解錠操作の操作性を向上するという観点から、第１の室内錠に水平維持手段が備えられていることが好ましい。なお、本発明にかかる施錠装置に水平維持手段が備えられていない場合であっても、室外側からの施解錠操作によっては第１及び第２駆動子が連動しないため、防犯性を維持することが可能になる。
【００５１】
１．２．第１実施形態にかかる施錠装置の施解錠操作
図５に、第１駆動子及び第１回転子、並びに、第２駆動子及び第２回転子の正面図を概略的に示す。図５を参照しつつ、駆動子及び回転子の形状、並びに、駆動子の施解錠状態について概説する。
【００５２】
図５（Ａ）は、第１駆動子１１及び第１回転子２１を概略的に示す正面図である。図示のように、本実施形態にかかる第１駆動子１１は、その内部に差し込まれるべき第１回転子２１と噛み合う第１噛合部１１ａ、１１ａ、及び、当該第１回転子２１と噛み合わない第１空転部１１ｂ、１１ｂを備えており、図１のように第１の錠箱１０の室内側に第１の室内錠２０が備えられると、第１回転子２１は第１駆動子１１の中に差し込まれ、第１駆動子１１内に収容される（図５（Ｂ）参照）。このようにして、第１駆動子１１及び第１回転子２１を備える第１伝達制御手段１５が構成される。なお、図５（Ｂ）に示す第１伝達制御手段１５では、第１駆動子１１と第１回転子２１との間に介在すべき第１筒状凸部は省略して示している。
【００５３】
図５（Ｃ）は、第２駆動子６１及び第２回転子７１を概略的に示す正面図である。図示のように、本実施形態にかかる第２駆動子６１は、上記第１駆動子１１と同様に、その内部に差込まれるべき第２回転子７１と噛み合う第２噛合部６１ａ、６１ａ、及び、当該第２回転子７１と噛み合わない第２空転部６１ｂ、６１ｂを備えている。そして、図１のように、第２の錠箱６０の室内側に第２の室内錠７０が備えられると、第２回転子７１は第２駆動子６１の中に差し込まれ、第２駆動子６１内に収容される（図５（Ｄ）参照）。このようにして、第２駆動子６１及び第２回転子７１を備える第２伝達制御手段６５が構成される。なお、図５（Ｄ）に示す第２伝達制御手段６５では、第２駆動子６１と第２回転子７１との間に介在すべき第２筒状凸部は省略して示している。
【００５４】
図５（Ｅ）及び（Ｆ）は、解錠及び施錠状態にある錠箱を、施錠及び解錠する場合における、駆動子の形態を概略的に示す正面図である。図５（Ｅ）に示すように、解錠状態の駆動子１１（６１）は、当該駆動子１１（６１）を反時計回りに９０度回転させることで、施錠状態にすることができる。これに対し、図５（Ｆ）に示すように、施錠状態の駆動子１１（６１）は、当該駆動子１１（６１）を時計回りに９０度回転させることで、解錠状態にすることができる。すなわち、本実施形態にかかる錠箱は、駆動子を回転させることにより施解錠することが可能になる。
【００５５】
図６及び図７は、図３の矢視断面を概略的に示す図であり、第１の施錠ユニットにおける第１駆動子及び第１回転子、並びに、第２の施錠ユニットにおける第２駆動子及び第２回転子のみを抽出し、拡大して示している。以下に、図５及び図６を参照しながら、室外側に設けられるシリンダー錠の操作と扉内に設けられる錠箱の動作との関係について詳述し、図５及び図７を参照しながら、室内側に設けられるサムターンの操作と上記錠箱の動作との関係について詳述する。図６及び図７では、第１及び第２回転子並びに第１及び第２駆動子の施錠操作を反時計回りの回転で表しており、同解錠操作は時計回りの回転で表している。なお、図が煩雑になることを防ぐとともに施解錠形態の理解を容易にするため、図６及び図７において、第１噛合部１１ａ、第１空転部１１ｂ、第２噛合部６１ａ、及び第２空転部６１ｂの符号は省略する。
【００５６】
１．２．１．室外側からの施解錠操作
１．２．１．１．室外側からの施錠操作
図６（Ａ）は、第１及び第２回転子、並びに、解錠状態の第１及び第２駆動子を示している。図６（Ａ）に示すように、第１シリンダー錠を操作することにより第１駆動子１１を反時計回りに回転させて第１の錠箱の施錠操作を行うと、当該回転時には第１駆動子１１と水平状態の第１回転子２１とが噛み合わないため、第１回転子２１は動作せず、第１駆動子１１のみが反時計回りに回転して第１の錠箱のみが施錠される（操作Ａ１）。したがって、第２の錠箱を施錠する場合には、上記第１シリンダー錠の操作以外に、第２シリンダー錠を操作することにより、第２駆動子６１を反時計回りに回転させる（操作Ａ２）。
【００５７】
１．２．１．２．室外側からの解錠操作
図６（Ｂ）は、第１及び第２回転子、並びに、施錠状態の第１及び第２駆動子を示している。図６（Ｂ）に示すように、第１シリンダー錠を操作することにより第１駆動子１１を時計回りに回転させて第１の錠箱の解錠操作を行うと、当該回転時には第１駆動子１１と水平状態の第１回転子２１とが噛み合わないため、第１回転子２１は動作せず、第１駆動子１１のみが時計回りに回転して第１の錠箱のみが解錠される（操作Ｂ１）。したがって、第２の錠箱を解錠するには、第１シリンダー錠の操作以外に、第２シリンダー錠を操作することにより、第２駆動子６１を時計回りに回転させる（操作Ｂ２）。
【００５８】
１．２．２．室内側からの施解錠操作
１．２．２．１．室内側からの施錠操作
（１）第１及び第２駆動子が解錠状態の場合
第１駆動子１１が解錠状態であるとともに第２駆動子６１が解錠状態である場合に、サムターンを反時計回りに回転させて室内側から施錠操作を行うと、図７（Ａ）に示すように、第１の施錠ユニットでは、サムターンと共に第１回転子２１が反時計回りに回転する。この際、反時計回りに回転する第１回転子２１と、解錠状態の第１駆動子１１とが噛み合うため、第１回転子２１及び第１駆動子１１が共に反時計回りに回転し、第１の錠箱が施錠される。ここで、上述のように、第１の室内錠２０には、サムターン２２を水平に維持すべき水平維持手段としてのバネ２３が備えられている（図３参照）。そのため、施錠操作後の第１回転子２１ａはサムターンと共に時計回りに回転し、水平状態の第１回転子２１ａとなる。
一方、第２の施錠ユニットでは、連動手段としてのワイヤを介して第１回転子２１と連結された第２回転子７１が、第１回転子２１の回転に連動して反時計回りに回転する。この際、反時計回りに回転する第２回転子７１と、解錠状態の第２駆動子６１とが噛み合うため、第２回転子７１及び第２駆動子６１が共に反時計回りに回転し、第２の錠箱が施錠される。ここで、上述のように、施錠操作後の第１回転子２１ａは、水平状態に維持され、第２回転子７１は当該第１回転子２１ａと連結されている。そのため、施錠操作後の第２回転子７１ａは第１回転子２１ａと連動して時計回りに回転し、水平状態の第２回転子７１ａとなる。
【００５９】
（２）第１及び第２駆動子が解錠及び施錠状態の場合
第１駆動子１１が解錠状態であるとともに第２駆動子６１が施錠状態である場合に、室内側から施錠操作を行うと、図７（Ｂ）に示すように、第１の施錠ユニットでは、サムターンと共に第１回転子２１が反時計回りに回転する。この際、第１回転子２１と、解錠状態の第１駆動子１１とが噛み合うため、第１回転子２１と共に第１駆動子１１が反時計回りに回転し、第１の錠箱が施錠される。なお、上述のように、施錠操作後の第１回転子２１ａは、水平状態に維持される。
一方、第２の施錠ユニットでは、第２回転子７１が、第１回転子２１の回転に連動して反時計回りに回転する。この際、第２回転子７１と、施錠状態の第２駆動子６１とは噛み合わないため、第２駆動子６１が回転せず、第２の錠箱の施錠状態が維持される。なお、上述のように、施錠操作後の第２回転子７１ａは、水平状態に維持される。
【００６０】
（３）第１及び第２駆動子が施錠及び解錠状態の場合
第１駆動子１１が施錠状態であるとともに第２駆動子６１が解錠状態である場合に、室内側から施錠操作を行うと、図７（Ｃ）に示すように、第１の施錠ユニットでは、サムターンと共に第１回転子２１が反時計回りに回転する。この際、第１回転子２１と、施錠状態の第１駆動子１１とは噛み合わないため、第１駆動子１１が回転せず、第１の錠箱の施錠状態が維持される。なお、上述のように、施錠操作後の第１回転子２１ａは、水平状態に維持される。
一方、第２の施錠ユニットでは、第２回転子７１が、第１回転子２１の回転に連動して反時計回りに回転する。この際、第２回転子７１と解錠状態の第２駆動子６１とが噛み合うため、第２駆動子６１が反時計回りに回転し、第２の錠箱が施錠される。なお、上述のように、施錠操作後の第２回転子７１ａは、水平状態に維持される。
【００６１】
（４）第１及び第２駆動子が施錠状態の場合
第１駆動子１１が施錠状態であるとともに第２駆動子６１が施錠状態である場合に、室内側から施錠操作を行うと、図７（Ｄ）に示すように、第１回転子２１及び第２回転子７１が反時計回りに回転する一方、施錠状態の第１駆動子１１及び第２駆動子６１は回転しない。そのため、第１の錠箱及び第２の錠箱の施錠状態が維持される。なお、上述のように、施錠操作後の第１回転子２１ａ及び第２回転子７１ａは、水平状態に維持される。
【００６２】
１．２．２．２．室内側からの解錠操作
（１）第１及び第２駆動子が施錠状態の場合
第１駆動子１１が施錠状態であるとともに第２駆動子６１が施錠状態である場合に、サムターンを時計回りに回転させて室内側から解錠操作を行うと、図７（Ｅ）に示すように、第１の施錠ユニットでは、サムターンと共に第１回転子２１が時計回りに回転する。この際、時計回りに回転する第１回転子２１と、施錠状態の第１駆動子１１とが噛み合うため、第１回転子２１及び第１駆動子が共に時計回りに回転し、第１の錠箱が解錠される。ここで、上述のように、第１の室内錠２０には、サムターン２２を水平に維持すべき水平維持手段としてのバネ２３が備えられている（図３参照）。そのため、解錠操作後の第１回転子２１ｂは、サムターンと共に反時計回りに回転し、水平状態に維持される。
一方、第２の施錠ユニットでは、連動手段としてのワイヤを介して第１回転子２１と連結された第２回転子７１が、第１回転子２１の回転に連動して時計回りに回転する。この際、時計回りに回転する第２回転子７１と、施錠状態の第２駆動子６１とが噛み合うため、第２回転子７１及び第２駆動子６１が共に時計回りに回転することで、第２の錠箱が解錠される。ここで、上述のように、施錠操作後の第１回転子２１ｂは、水平状態に維持され、一方で、第２回転子７１は当該第１回転子２１ｂと連結されている。そのため、解錠操作後の第２回転子７１ｂは第１回転子２１ｂに連動して反時計回りに回転し、水平状態に維持される。
【００６３】
（２）第１及び第２駆動子が施錠及び解錠状態の場合
第１駆動子１１が施錠状態であるとともに第２駆動子６１が解錠状態である場合に、室内側から解錠操作を行うと、図７（Ｆ）に示すように、第１の施錠ユニットでは、サムターンと共に第１回転子２１が時計回りに回転する。この際、第１回転子２１と、施錠状態の第１駆動子１１とが噛み合うため、第１回転子２１と共に第１駆動子１１が時計回りに回転し、第１の錠箱が解錠される。なお、上述のように、解錠操作後の第１回転子２１ｂは、水平状態に維持される。
一方、第２の施錠ユニットでは、第２回転子７１が、第１回転子２１の回転に連動して時計回りに回転する。この際、第２回転子７１と、解錠状態の第２駆動子６１とは噛み合わないため、第２駆動子６１が回転せず、第２の錠箱の解錠状態が維持される。なお、上述のように、解錠操作後の第２回転子７１ｂは、水平状態に維持される。
【００６４】
（３）第１及び第２駆動子が解錠及び施錠状態の場合
第１駆動子１１が解錠状態であるとともに第２駆動子６１が施錠状態である場合に、室内側から解錠操作を行うと、図７（Ｇ）に示すように、第１の施錠ユニットでは、サムターンと共に第１回転子２１が時計回りに回転する。この際、第１回転子２１と、解錠状態の第１駆動子１１とは噛み合わないため、第１駆動子１１が回転せず、第１の錠箱の解錠状態が維持される。なお、上述のように、解錠操作後の第１回転子２１ｂは、水平状態に維持される。
一方、第２の施錠ユニットでは、第２回転子７１が、第１回転子２１の回転に連動して時計回りに回転する。この際、第２回転子７１と、施錠状態の第２駆動子６１とが噛み合うため、第２駆動子６１が時計回りに回転し、第２の錠箱が解錠される。なお、上述のように、解錠操作後の第２回転子７１ｂは、水平状態に維持される。
【００６５】
（４）第１及び第２駆動子が解錠状態の場合
第１駆動子１１が解錠状態であるとともに第２駆動子６１が解錠状態である場合に、室内側から解錠操作を行うと、図７（Ｈ）に示すように、第１回転子２１及び第２回転子７１が時計回りに回転する一方、解錠状態の第１駆動子１１及び第２駆動子６１は回転しない。そのため、第１の錠箱及び第２の錠箱の解錠状態が維持される。なお、上述のように、解錠操作後の第１回転子２１ｂ及び第２回転子７１ｂは、水平状態に維持される。
【００６６】
２．第２実施形態
２．１．施錠装置及び開口部装置
図８は、第２実施形態にかかる本発明の施錠装置を備える開口部装置の代表的な部位を抽出して概略的に示す、室内側からの外観図であり、本発明の主要部分と直接関係しない箇所は適宜省略し、室内錠の主な構成要素を適宜透過させて示している。図示の部位は、一戸建住宅等に代表される住宅の玄関等に好適に使用される引戸型の玄関開口部の戸先框５００１であり、当該戸先框５００１に第２実施形態にかかる施錠装置５００が備えられている。
【００６７】
施錠装置５００は、第１の施錠ユニット５４０と第２の施錠ユニット５８０とを備えている。第１の施錠ユニット５４０は、室外側に設けられた第１のシリンダー錠（不図示）、戸先框５００１の内部に設けられた第１の錠箱（以下において、「第１の戸先錠」と記述する。）５１０、及び第１の室内錠５２０を備え、第２の施錠ユニット５８０は、室外側に設けられた第２のシリンダー錠（不図示）、戸先框５００１の内部に設けられた第２の錠箱（以下において、「第２の戸先錠」と記述する。）５６０、及び第２の室内錠５７０を備えている。第１の室内錠５２０は、第１回転子（不図示）及び当該第１回転子を操作すべき室内操作手段５２２を備えている。第２の室内錠５７０は、第２回転子（不図示）を備える一方、第２回転子を操作すべき室内操作手段を備えず、第１回転子及び第２回転子は、連動手段としてのワイヤ５９０を介して連結されている。ここに、上記第１実施形態にかかる第１及び第２回転子を連結しているワイヤと同様に、第２実施形態にかかる第１及び第２回転子を連結しているワイヤ５９０の一端は第１の室内錠５２０内に、同他端は第２の室内錠５７０内に、それぞれ固定されている。そのため、上記第１実施形態にかかる第１及び第２回転子と以下同様にして、第１回転子を操作すべき室内操作手段５２２を操作することにより、第１回転子を操作可能であるのみならず、当該第１回転子に連動する第２回転子をも操作することが可能になる。なお、本実施形態にかかる施錠装置５００において、第１の戸先錠５１０、第１の室内錠５２０、第２の戸先錠５６０、及び第２の室内錠５７０は、戸先框５００１の内部に備えられており、戸先框５００１の内部に備えられる各部材は、外部（室内及び室外側）から認識されないように配置されている。かかる形態を有する施錠装置５００は、上記第１の錠箱５１０に備えられる第１デッドボルト５１２及び上記第２の錠箱５６０に備えられる第２デッドボルト５６２が駆動されることにより、施解錠される。
【００６８】
図９は、第２実施形態にかかる本発明の施錠装置を備える開口部装置を概略的に示す外観図である。図９（Ａ）は、上記開口部装置５０００を室外側から見た外観図であり、図９（Ｂ）は、同開口部装置５０００を室内側から見た外観図である。
【００６９】
図９（Ａ）に示すように、開口部装置５０００の室外側には、第１のシリンダー錠５０１及び第２のシリンダー錠５５１が備えられており、室外側から施解錠操作を行う際には、これらのシリンダー錠５０１、５５１を個別に操作する必要がある。そして、シリンダー錠５０１、５５１の解錠操作を行って戸先框５００１に備えられている第１及び第２の戸先錠（不図示）が解錠されると、例えば、室外側把手を掴んで図の右から左の方向へと引戸を移動させることにより、当該引戸を開くことが可能になる。これに対し、図９（Ｂ）に示すように、開口部装置５０００の室内側には、第１の室内錠５２０の室内操作手段５２２が室内側から認識可能なように設けられており、上記戸先框５００１の内部に備えられている第１の室内錠の第１回転子や、第２の室内錠の第２回転子は、室内側から認識されない。ここに、本実施形態にかかる第１回転子及び第２回転子は、連動手段としてのワイヤ（不図示）を介して連結されている。そのため、室内側から施解錠操作を行う際には、第１実施形態にかかる施錠装置と以下同様にして、室内操作手段５２２のみを操作することで、第１の戸先錠及び第２の戸先錠を施解錠することが可能になる。このようにして、室内操作手段５２２を用いて解錠操作することにより第１及び第２の戸先錠が開錠されると、例えば、室内側把手を掴んで図の左から右の方向へと引戸を移動させることにより、当該引戸を開くことが可能になる。
【００７０】
図１０は、上記戸先框５００１の内部に備えられる施錠装置５００の一部を概略的に拡大して示す外観図である。図１０では、紙面手前側が室外側に、紙面奥が室内側に、それぞれ対応している。本発明にかかる施錠装置５００において、第１の施錠ユニット５４０は、第１のシリンダー錠５０１と第１の室内錠５２０とを備え、第１のシリンダー錠５０１を操作すると、第１のケース５２４の内部に収容されている第１駆動部材（不図示）に備えられる第１の戸先錠連動部５４６が図の矢印の方向へと移動する。そして、当該戸先錠連動部５４６の動作に応じて第１デッドボルトが駆動され、第１の戸先錠（不図示）が施解錠される。これに対し、第２の施錠ユニット５８０は、第２のシリンダー錠５５１と第２の室内錠５７０とを備え、第２のシリンダー錠５５１を操作すると、第２のケース５７４の内部に収容されている第２駆動部材（不図示）に備えられる第２の戸先錠連動部５８６が図の矢印の方向へと移動する。そして、当該戸先錠連動部５８６の動作に応じて第２デッドボルトが駆動され、第２の戸先錠（不図示）が施解錠される。
【００７１】
他方、図１０に示すように、上記第１回転子及び第２回転子を連動させるワイヤ５９０は、その一端が、第１の室内錠５２０の第１ワイヤ連動部５２３に、他端が、第２の室内錠５７０の第２ワイヤ連動部５７３にそれぞれ固定されている。そして、当該第１ワイヤ連動部５２３は第１の室内錠５２０に備えられる第１回転子（不図示）と共に回転し、第２ワイヤ連動部５７３は第２の室内錠５７０に備えられる第２回転子（不図示）と共に回転する。
【００７２】
ここに、本実施形態にかかる施錠装置５００において、第１の施錠ユニット５４０の形態と第２の施錠ユニット５８０の形態とにおける大きな差異は、前者に室内操作手段が備えられる一方で、後者には当該室内操作手段が備えられないという点にあり、室内操作手段以外の各構成部材は、略同形状の部材が用いられている。そこで、第２実施形態にかかる施錠装置の構造に関する以下の説明では、主に第１の施錠ユニット５４０を用い、第１の施錠ユニット５４０の部材と略同形状の対応部材が第２の施錠ユニット５８０に存在する場合には、第２の施錠ユニットにかかる構成部材の符号を、図中に、適宜括弧書きにて付記する。
【００７３】
図１１は、図１０に示す第１の施錠ユニット５４０から構成部材を順次取り外し、第１駆動子及び第１回転子が認識可能な構成となるまでの様子を段階的に示す外観図である。図１１では、紙面手前側が室外側に、紙面奥が室内側に、それぞれ対応している。
図１１（Ａ）は、図１０に示す第１の施錠ユニット５４０を、図１１（Ｂ）は、当該施錠ユニット５４０から第１ワイヤ連動部５２３を取り外して構成される施錠ユニット５４０Ｂを、それぞれ概略的に拡大して示している。そして、図１１（Ｃ）は、施錠ユニット５４０Ｂから第１のケース５２４を取り外して構成される施錠ユニット５４０Ｃを、図１１（Ｄ）は、当該施錠ユニット５４０Ｃから第１のシリンダー錠５０１に備えられる第１シリンダ連動ピニオン、第１連動部材、及び第１回転子のみを抽出して構成される施錠ユニット５４０Ｄを概略的に拡大して示している。ここに、本実施形態にかかる第１ワイヤ連動部５２３は、第１回転子５２１と略同一の回転動作をする。また、施解錠時に回転動作させる回転子の動作角度を常に略同一にすることで施解錠操作の操作性を向上させるという観点から、第１ワイヤ連動部５２３には、回転子位置特定手段（不図示）が備えられている。かかる回転子位置特定手段により、施解錠操作後の回転子は、施解錠操作前の形態に戻され、施解錠操作を開始する際の回転子の形態は略一定に保たれる。
【００７４】
図１１（Ｄ）に示すように、本実施形態にかかる第１の施錠ユニットは、施錠ユニット５４０Ｄを備えており、第１のシリンダー錠を操作すると、凹凸形状に形成された側面部を備える第１シリンダー連動ピニオン５０２が回転動作する。ここに、第１連動部材５４５の第１シリンダー連動ピニオン５０２側の側面には当該連動ピニオン５０２の側面と噛み合うような形態で凹凸部が形成されている。そのため、上記連動ピニオン５０２が回転動作すると、当該連動ピニオン５０２の側面に形成された凹凸と第１連動部材５４５の上記側面に形成された凹凸とが噛み合い、当該第１連動部材５４５が図の矢印方向へ動作する。
一方、本実施形態にかかる第１連動部材５４５は、図示のように、第１駆動子５１１及び第１の戸先錠連動部５４６を備えている。そのため、上記の形態で第１連動部材５４５が図の矢印方向へ動作すると、当該第１連動部材５４５に備えられる第１駆動子５１１及び第１の戸先錠連動部５４６も図の矢印方向へと動作する。
なお、図示の施錠ユニット５４０Ｄは、上記戸先框内に備えられ、当該戸先框は、鉛直方向と平行な方向に配置されるのが通常である。すなわち、図の矢印方向は鉛直方向の動作（上下動）に該当するため、図８に示す開口部装置５０００に上記形態にて動作する第１連動部材５４５が備えられると、第１駆動子５１１は上下動することになる。
【００７５】
他方、図１１（Ｄ）に示すように、第１の室内錠５２０は第１回転子５２１を備えている。第１回転子５２１には、上記第１駆動子５１１と噛み合う噛合部５２１ａ、５２１ａと、第１駆動子５１１と噛み合わない空転部５２１ｂとが形成されているほか、溝部５２１ｃが形成されており、第１駆動子５１１は、上記空転部５２１ｂに配置されている。そのため、第１のシリンダー錠を回転操作することにより第１駆動子５１１が動作しても、当該第１駆動子５１１は第１回転子５２１の空転部５２１ｂ内を動作するため、第１回転子５２１は動作（回転動作）せず、第１駆動子５１１のみが動作する。なお、後述するように、第１回転子５２１の溝部５２１ｃには、室内操作手段の部材が嵌め込まれ、当該部材を介して、室内操作手段の動作が第１回転子５２１へと伝えられる。
【００７６】
図１２に、本実施形態にかかる施錠装置の、第１の施錠ユニットの室内側に設けられる室内操作手段を概略的に示す。図１２（Ａ）及び（Ｂ）は、室内操作手段５２２の外観図であり、図１２（Ｃ）は図１２（Ａ）の矢視上面図、図１２（Ｄ）は図１２（Ｂ）の矢視側面図、図１２（Ｅ）は図１２（Ａ）の矢視側面図である。なお、図１２（Ｃ）〜（Ｅ）では、室内操作手段５２２に備えられる部材を適宜透過させて示している。
【００７７】
図１２（Ａ）及び（Ｂ）に示すように、室内操作手段５２２は、プッシュボタン（以下において、単に「ボタン」と記述する。）５２５と台座５２６とを備えている。そして、図１２（Ｃ）〜（Ｅ）に示すように、室内操作手段５２２は、ボタン５２５の動作に応じて駆動される凹凸部材５２７及び回転子操作部材５２８を備え、回転子操作部材５２８は、上記溝部５２１ｃ（図１１（Ｄ）参照）の内周面形状と略同一の外周面形状を有する凸部５２８ｃと、側面が凹凸状に形成された回転体形状の歯車部５２８ａとを備えている。室内操作手段５２２において、凹凸部材５２７と歯車部５２８ａとは噛み合っており、ボタン５２５を押すことにより凹凸部材５２７が図１２（Ｃ）の直線矢印の方向へ動作すると、歯車部５２８ａが回転動作し、その結果、凸部５２８ｃが回転動作する。一方、本実施形態にかかる施錠装置５００において、上記凸部５２８ｃは、室内側から、上記溝部５２１ｃに嵌め込まれる。そのため、図示の室内操作手段５２２では、室内側に設けられているボタン５２５を押すことにより、凸部５２８ｃ及び溝部５２１ｃを介して第１回転子５２１を回転動作させることが可能になる。なお、上述のように、第１回転子５２１と第２回転子５７１とは連動手段としてのワイヤ５９０を介して連結されているため、このようにして第１回転子５２１が回転動作すると、第１回転子５２１の回転動作に連動して、第２回転子５７１を回転動作させることが可能になる。すなわち、かかる形態を有する本実施形態の施錠装置によれば、室内側から室内操作手段５２２のボタン５２５を押すことで、第１回転子５２１及び第２回転子５７１を回転動作させることが可能になる。
【００７８】
本実施形態にかかる上記説明では、便宜上、ボタン５２５等を備える形態の室内操作手段５２２について記述したが、本実施形態にかかる室内操作手段は第１回転子を回転動作させ得る形態を備えていれば、上記形態に限定されるものではなく、他の形態を備えていても良い。室内操作手段の他の形態例としては、第１実施形態にかかるサムターンのように回転動作可能な操作つまみを備える形態や、水平方向に動作可能な操作つまみを備える形態等を挙げることができる。
【００７９】
加えて、上記第１及び第２実施形態にかかる説明では、ワイヤ形態の連動手段について記述したが、本発明の施錠装置に備えられ得る連動手段は、当該形態に限定されるものではなく、第１回転子及び第２回転子を連動させ得る形態を備えていれば、他の形態であっても良い。なお、第１の施錠ユニット及び第２の施錠ユニットにおける施解錠操作を略同一とすることで施解錠操作の操作性を向上させるという観点から、第１回転子及び第２回転子を同じ方向に回転させ得る形態の連動手段、又は、第１回転子及び第２回転子を同じ方向（水平方向）へ動作させ得る形態の連動手段とすることが好ましい。
【００８０】
２．２．第２実施形態にかかる施錠装置の施解錠操作
図１３に、第１駆動子及び第１回転子、並びに、第２駆動子及び第２回転子の正面図を概略的に示す。上述のように、第１駆動子及び第１回転子と第２駆動子及び第２回転子とは略同一形状を有しており、図１３の第１駆動子及び第１回転子は、図１１（Ｄ）の矢視上面図の一部のみを抽出し、噛合部等の形状をさらに簡略化して示している。図１３を参照しつつ、駆動子及び回転子の形状、並びに、駆動子の施解錠状態について概説する。なお、施解錠操作の説明に関する以下の図では、施解錠操作時の駆動子及び回転子の動作の理解を容易にするという観点から、回転子の噛合部及び空転部、並びに、駆動子のみを抽出し簡略化して示し、溝部５２１ｃ等に代表される他の回転子部材や、第１の戸先錠連動部５４６等に代表される他の駆動子部材は適宜省略する。
【００８１】
図１３（Ａ）は、第１駆動子５１１及び第１回転子５２１を概略的に示す正面図である。図示のように、本実施形態にかかる第１回転子５２１は、第１駆動子５１１と噛み合う第１噛合部５２１ａ、５２１ａ、及び、当該第１駆動子５１１と噛み合わない第１空転部５２１ｂを備えている。そして、図１１（Ａ）に示すように、組み立てられて第１の施錠ユニット５４０として構成されると、第１駆動子５１１は第１回転子５２１の第１空転部５２１ｂに配置され（図１３（Ｂ）参照）、第１駆動子５１１及び第１回転子５２１を備える第１伝達制御手段５１５が構成される。
【００８２】
図１３（Ｃ）は、第２駆動子５６１及び第２回転子５７１を概略的に示す正面図である。図示のように、本実施形態にかかる第２回転子５７１は、第２駆動子５６１と噛み合う第２噛合部５７１ａ、５７１ａ、及び、当該第２駆動子５６１と噛み合わない第２空転部５７１ｂを備えている。そして、施錠装置として組み立てられて第２の施錠ユニットとして構成されると、第２駆動子５６１は第２回転子５７１の第２空転部５７１ｂに配置され（図１３（Ｄ）参照）、第２駆動子５６１及び第２回転子５７１を備える第２伝達制御手段５６５が構成される。
【００８３】
図１３（Ｅ）及び（Ｆ）は、解錠及び施錠状態にある戸先錠を、施錠及び解錠する場合における、駆動子及び回転子の形態を概略的に示す正面図である。図１３（Ｅ）に示すように、解錠状態の駆動子５１１（５６１）は、上記シリンダー錠又は室内操作手段を操作することにより当該駆動子５１１（５６１）を下へ動作させることで、施錠状態にすることができる。これに対し、図１３（Ｆ）に示すように、施錠状態の駆動子５１１（５６１）は、上記シリンダー錠又は室内操作手段を操作することにより当該駆動子５１１（５６１）を上へ動作させることで、解錠状態にすることができる。すなわち、本実施形態にかかる戸先錠は、駆動子を上下動させることにより施解錠することが可能になる。
【００８４】
図１４及び図１５に、第１駆動子及び第１回転子、並びに、第２駆動子及び第２回転子の正面図を概略的に示す。以下に、図１３及び図１４を参照しながら、シリンダー錠の操作と駆動子の動作との関係について詳述し、図１３及び図１５を参照しながら、室内操作手段の操作と上記駆動子及び回転子の動作との関係について詳述する。図１４及び図１５では、第１及び第２回転子の施錠動作を時計回りの回転で表すとともに、第１及び第２駆動子の施錠動作を下への動作で表す一方、第１及び第２回転子の解錠動作を反時計回りの回転で表すとともに、第１及び第２駆動子の解錠動作を上への動作で表す。なお、図が煩雑になることを防ぐとともに施解錠形態の理解を容易にするため、図１４及び図１５において、第１噛合部５２１ａ、第１空転部５２１ｂ、第２噛合部５７１ａ、及び第２空転部５７１ｂの符号は省略する。また、図１５において、直線矢印は駆動子の動作を、曲線矢印は回転子の動作を、それぞれ表している。
【００８５】
２．２．１．室外側からの施解錠操作
２．２．１．１．室外側からの施錠操作
図１４（Ａ）は、第１及び第２回転子、並びに、解錠状態の第１及び第２駆動子を示している。図１４（Ａ）に示すように、第１シリンダー錠を操作することにより第１駆動子５１１を下へと動作させて第１の戸先錠の施錠操作を行うと、当該動作時には第１駆動子５１１と第１回転子５２１とが噛み合わないため、第１回転子５２１は動作せず、第１駆動子５１１のみが下へと動作して第１の戸先錠のみが施錠される（操作α１）。したがって、第２の戸先錠を施錠するには、第１シリンダー錠の操作以外に、第２シリンダー錠を操作することにより、第２駆動子５６１を下へと動作させる（操作α２）。
【００８６】
２．２．１．２．室外側からの解錠操作
図１４（Ｂ）は、第１及び第２回転子、並びに、解錠状態の第１及び第２駆動子を示している。図１４（Ｂ）に示すように、第１シリンダー錠を操作することにより第１駆動子５１１を上へと動作させて第１の戸先錠の解錠操作を行うと、当該動作時には第１駆動子５１１と第１回転子５２１とが噛み合わないため、第１回転子５２１は動作せず、第１駆動子５１１のみが上へと動作して第１の戸先錠のみが解錠される（操作β１）。したがって、第２の戸先錠を解錠するには、第１シリンダー錠の操作以外に、第２シリンダー錠を操作することにより、第２駆動子５６１を上へと動作させる（操作β２）。
【００８７】
２．２．２．室内側からの施解錠操作
２．２．２．１．室内側からの施錠操作
（１）第１及び第２駆動子が解錠状態の場合
第１駆動子５１１が解錠状態であるとともに第２駆動子５６１が解錠状態である場合に、室内操作手段のボタンを押すことにより室内側から施錠操作を行うと、図１５（Ａ）に示すように、第１の施錠ユニットでは、第１回転子５２１が時計回りに回転する。この際、当該第１回転子５２１と解錠状態の第１駆動子５１１とが噛み合うため、第１回転子５２１の回転動作と共に第１駆動子５１１が下へと動作し、第１の戸先錠が施錠される。ここで、上述のように、第１の室内錠５２０には、施解錠操作後の第１回転子の位置を定位置に戻すべき回転子位置特定手段が備えられている。そのため、施錠操作後の第１回転子５２１ｘは、反時計回りに回転して、施錠操作前の位置に戻される。
一方、第２の施錠ユニットでは、連動手段としてのワイヤを介して第１回転子５２１と連結された第２回転子５７１が、第１回転子５２１の回転動作に連動して時計回りに回転する。この際、当該第２回転子５７１と解錠状態の第２駆動子５６１とが噛み合うため、第２駆動子５６１が下へと動作し、第２の戸先錠が施錠される。ここで、上述のように、施錠操作後の第１回転子５２１ｘは、施錠操作前の位置に戻され、第２回転子５７１は当該第１回転子５２１ｘと連結されている。そのため、施錠操作後の第２回転子５７１ｘは第１回転子５２１ｘと連動して反時計回りに回転し、施錠操作前の位置に戻される。
【００８８】
（２）第１及び第２駆動子が解錠及び施錠状態の場合
第１駆動子５１１が解錠状態であるとともに第２駆動子５６１が施錠状態である場合に、室内側から施錠操作を行うと、図１５（Ｂ）に示すように、第１の施錠ユニットでは、第１回転子５２１が時計回りに回転する。この際、第１回転子５２１と解錠状態の第１駆動子５１１とが噛み合うため、第１駆動子５１１が下へと動作し、第１の戸先錠が施錠される。なお、上述のように、施錠操作後の第１回転子５２１ｘは、施錠操作前の位置に戻される。
一方、第２の施錠ユニットでは、第２回転子５７１が、第１回転子５２１の回転動作に連動して時計回りに回転する。この際、第２回転子５７１と、施錠状態の第２駆動子５６１とは噛み合わないため、第２駆動子５６１は動作せず、第２の戸先錠の施錠状態が維持される。なお、上述のように、施錠操作後の第２回転子５７１ｘは、施錠操作前の位置に戻される。
【００８９】
（３）第１及び第２駆動子が施錠及び解錠状態の場合
第１駆動子５１１が施錠状態であるとともに第２駆動子５６１が解錠状態である場合に、室内側から施錠操作を行うと、図１５（Ｃ）に示すように、第１の施錠ユニットでは、第１回転子５２１が時計回りに回転する。この際、当該第１回転子５２１と施錠状態の第１駆動子５１１とは噛み合わないため、第１駆動子５１１は動作せず、第１の戸先錠の施錠状態が維持される。なお、上述のように、施錠操作後の第１回転子５２１ｘは、施錠操作前の位置に戻される。
一方、第２の施錠ユニットでは、第２回転子５７１が、第１回転子５２１の回転動作に連動して時計回りに回転する。この際、当該第２回転子５７１と、解錠状態の第２駆動子５６１とが噛み合うため、第２駆動子５６１が下へと動作し、第２の戸先錠が施錠される。なお、上述のように、施錠操作後の第２回転子５７１ｘは、施錠操作前の位置に戻される。
【００９０】
（４）第１及び第２駆動子が施錠状態の場合
第１駆動子５１１が施錠状態であるとともに第２駆動子５６１が施錠状態である場合に、室内側から施錠操作を行うと、図１５（Ｄ）に示すように、第１回転子５２１及び第２回転子５７１が時計回りに回転する一方、施錠状態の第１駆動子５１１及び第２駆動子５６１は動作しない。そのため、第１の錠箱及び第２の錠箱の施錠状態が維持される。なお、上述のように、施錠操作後の第１回転子５２１ｘ及び第２回転子５７１ｘは、施錠操作前の位置に戻される。
【００９１】
２．２．２．２．室内側からの解錠操作
（１）第１及び第２駆動子が施錠状態の場合
第１駆動子５１１が施錠状態であるとともに第２駆動子５６１が施錠状態である場合に、室内側から解錠操作を行うと、図１５（Ｅ）に示すように、第１の施錠ユニットでは、第１回転子５２１が反時計回りに回転する。この際、当該第１回転子５２１と施錠状態の第１駆動子５１１とが噛み合うため、第１回転子５２１の回転動作と共に第１駆動子５１１が上へと動作し、第１の戸先錠が解錠される。なお、上述のように、第１の室内錠５２０には、施解錠操作後の第１回転子の位置を定位置に戻すべき回転子位置特定手段が備えられている。そのため、解錠操作後の第１回転子５２１ｙは、時計回りに回転して、解錠操作前の位置に戻される。
一方、第２の施錠ユニットでは、連動手段としてのワイヤを介して第１回転子５２１と連結された第２回転子５７１が、第１回転子５２１の回転動作に連動して反時計回りに回転する。この際、当該第２回転子５７１と、施錠状態の第２駆動子５６１とが噛み合うため、第２回転子５７１の回転動作と共に第２駆動子５６１が上へと動作し、第２の戸先錠が解錠される。ここで、上述のように、解錠操作後の第１回転子５２１ｙは、解錠操作前の位置に戻され、一方で、第２回転子５７１は当該第１回転子５２１ｙと連結されている。そのため、解錠操作後の第２回転子５７１ｙは、第１回転子５２１ｙに連動して時計回りに回転し、解錠操作前の位置に戻される。
【００９２】
（２）第１及び第２駆動子が施錠及び解錠状態の場合
第１駆動子５１１が施錠状態であるとともに第２駆動子５６１が解錠状態である場合に、室内側から解錠操作を行うと、図１５（Ｆ）に示すように、第１の施錠ユニットでは、第１回転子５２１が反時計回りに回転する。この際、当該第１回転子５２１と施錠状態の第１駆動子５１１とが噛み合うため、第１駆動子５１１が上へと動作し、第１の戸先錠が解錠される。なお、上述のように、解錠操作後の第１回転子５２１ｙは、解錠操作前の位置に戻される。
一方、第２の施錠ユニットでは、第２回転子５７１が、第１回転子５２１の回転に連動して反時計回りに回転する。この際、当該第２回転子５７１と、解錠状態の第２駆動子５６１とは噛み合わないため、第２駆動子５６１は動作せず、第２の戸先錠の解錠状態が維持される。なお、上述のように、解錠操作後の第２回転子５７１ｙは、解錠操作前の位置に戻される。
【００９３】
（３）第１及び第２駆動子が解錠及び施錠状態の場合
第１駆動子５１１が解錠状態であるとともに第２駆動子５６１が施錠状態である場合に、室内側から解錠操作を行うと、図１５（Ｇ）に示すように、第１の施錠ユニットでは、第１回転子５２１が反時計回りに回転する。この際、当該第１回転子５２１と解錠状態の第１駆動子５１１とは噛み合わないため、第１駆動子５１１は動作せず、第１の戸先錠の解錠状態が維持される。なお、上述のように、解錠操作後の第１回転子５２１ｙは、解錠操作前の位置に戻される。
一方、第２の施錠ユニットでは、第２回転子５７１が、第１回転子５２１の回転に連動して反時計回りに回転する。この際、当該第２回転子５７１と、施錠状態の第２駆動子５６１とが噛み合うため、第２駆動子５６１が上へと動作し、第２の戸先錠が開錠される。なお、上述のように、解錠操作後の第２回転子５７１ｙは、解錠操作前の位置に戻される。
【００９４】
（４）第１及び第２駆動子が解錠状態の場合
第１駆動子５１１が解錠状態であるとともに第２駆動子５６１が解錠状態である場合に、室内側から解錠操作を行うと、図１５（Ｈ）に示すように、第１回転子５２１及び第２回転子５７１が反時計回りに回転する一方、解錠状態の第１駆動子５１１及び第２駆動子５６１は動作しない。そのため、第１の錠箱及び第２の錠箱の解錠状態が維持される。なお、上述のように、解錠操作後の第１回転子５２１ｙ及び第２回転子５７１ｙは、解錠操作前の位置に戻される。
【００９５】
なお、本実施形態にかかる施錠装置に関する上記説明では、便宜上、回転子位置特定手段を備える形態の施錠装置について説明したが、本実施形態にかかる施錠装置の形態は当該形態に限定されるものではなく、回転子位置特定手段を備えない形態の施錠装置とすることも可能である。
【００９６】
以上、現時点において、最も、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う施錠装置及び該施錠装置を備える開口部装置もまた本発明の技術的範囲に包含されるものとして理解されなければならない。
【図面の簡単な説明】
【００９７】
【図１】第１実施形態にかかる本発明の施錠装置を備える開口部装置の代表的な部位を抽出して示す、外観図である。
【図２】第１実施形態にかかる本発明の施錠装置を備える開口部装置を概略的に示す外観図である。
【図３】第１及び第２の室内錠の各構成部材、並びに、第１及び第２の錠箱の配置形態を概略的に示す外観図である。
【図４】第１及び第２の室内錠の概略図である。
【図５】第１駆動子及び第１回転子、並びに、第２駆動子及び第２回転子の概略図である。
【図６】第１駆動子及び第１回転子、並びに、第２駆動子及び第２回転子の概略図である。
【図７】第１駆動子及び第１回転子、並びに、第２駆動子及び第２回転子の概略図である。
【図８】第２実施形態にかかる本発明の施錠装置を備える開口部装置の代表的な部位を抽出して示す、外観図である。
【図９】第２実施形態にかかる本発明の施錠装置を備える開口部装置を概略的に示す外観図である。
【図１０】第２実施形態にかかる施錠装置の一部を室外側から概略的に拡大して示す外観図である。
【図１１】第２実施形態にかかる施錠装置の一部を概略的に示す外観図である。
【図１２】第２実施形態にかかる施錠装置の室内操作手段の形態例を示す概略図である。
【図１３】第１駆動子及び第１回転子、並びに、第２駆動子及び第２回転子の概略図である。
【図１４】第１駆動子及び第１回転子、並びに、第２駆動子及び第２回転子の概略図である。
【図１５】第１駆動子及び第１回転子、並びに、第２駆動子及び第２回転子の概略図である。
【符号の説明】
【００９８】
１、５０１  第１のシリンダー錠
１０、５１０  第１の錠箱
１１、５１１  第１駆動子
１２、５１２  第１デッドボルト
１５、５１５  第１伝達制御手段
２０、５２０  第１の室内錠
２１、５２１  第１回転子
２２、５２２  室内操作手段
４０、５４０  第１の施錠ユニット
５１、５５１  第２のシリンダー錠
６０、５６０  第２の錠箱
６１、５６１  第２駆動子
６２、５６２  第２デッドボルト
６５、５６５  第２伝達制御手段
７０、５７０  第２の室内錠
７１、５７１  第２回転子
８０、５８０  第２の施錠ユニット
９０、５９０  連動手段
１００、５００  施錠装置
５４５  第１連動部材
５８５  第２連動部材
１０００、５０００  開口部装置
【図１】
2006188896.tif 000003
【図２】
2006188896.tif 000004
【図３】
2006188896.tif 000005
【図４】
2006188896.tif 000006
【図５】
2006188896.tif 000007
【図６】
2006188896.tif 000008
【図７】
2006188896.tif 000009
【図８】
2006188896.tif 000010
【図９】
2006188896.tif 000011
【図１０】
2006188896.tif 000012
【図１１】
2006188896.tif 000013
【図１２】
2006188896.tif 000014
【図１３】
2006188896.tif 000015
【図１４】
2006188896.tif 000016
【図１５】
2006188896.tif 000017